(57)【特許請求の範囲】
【請求項１】
導電シートを有するタッチパネルにおいて、
前記導電シートは、
基体と、
前記基体の一方の主面に形成された第１導電部と、
前記基体の他方の主面に形成された第２導電部とを有し、
前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、
前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、
各前記第１感知部及び各前記第２感知部は、それぞれ２以上の小格子が組み合わされて構成され、
前記第１補助線及び前記第２補助線の長さは、前記小格子の一辺の長さよりも短く、
前記第１補助パターンは、複数の前記第１補助線と交差する第１補助長線を備え、前記第２補助パターンは、複数の前記第２補助線と交差する第２補助長線を備え、
上面から見たとき、前記第１透明導電パターンと前記第２透明導電パターンとが交差して配置された形態とされ、
前記第１透明導電パターンと前記第２透明導電パターンとの間に、前記第１補助パターンと前記第２補助パターンとが対向することによる組合せパターンが形成されていることを特徴とするタッチパネル。
【請求項２】
請求項１記載のタッチパネルにおいて、
前記第１導電部及び前記第２導電部の線幅が３０μｍ以下であり、
前記小格子の一辺の長さが５０〜５００μｍであることを特徴とするタッチパネル。
【請求項３】
請求項１又は２記載のタッチパネルにおいて、
前記第１感知部及び前記第２感知部の一辺の長さが３〜１０ｍｍであることを特徴とするタッチパネル。
【請求項４】
請求項１〜３のいずれか１項に記載のタッチパネルにおいて、
前記第１補助線及び前記第２補助線の長さは、前記小格子の一辺の長さの４／５以下であることを特徴とするタッチパネル。
【請求項５】
請求項１〜３のいずれか１項に記載のタッチパネルにおいて、
前記第１補助線及び前記第２補助線の長さは、前記小格子の一辺の長さの１／２以下であることを特徴とするタッチパネル。
【請求項６】
請求項１〜３のいずれか１項に記載のタッチパネルにおいて、
前記組合せパターンは、２以上の小格子が組み合わされて構成されていることを特徴とするタッチパネル。
【請求項７】
導電シートを有するタッチパネルにおいて、
前記導電シートは、
基体と、
前記基体の一方の主面に形成された第１導電部と、
前記基体の他方の主面に形成された第２導電部とを有し、
前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、
前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、
各前記第１感知部及び各前記第２感知部は、それぞれ２以上の小格子が組み合わされて構成され、
前記第１補助線及び前記第２補助線の長さは、前記小格子の一辺の長さよりも短く、
上面から見たとき、前記第１透明導電パターンと前記第２透明導電パターンとが交差して配置された形態とされ、
前記第１透明導電パターンと前記第２透明導電パターンとの間に、前記第１補助パターンと前記第２補助パターンとが対向することによる組合せパターンが形成され、
前記組合せパターンは、前記第１補助線と前記第２補助線とが直交して重ならない形態を有することを特徴とするタッチパネル。
【請求項８】
請求項７記載のタッチパネルにおいて、
前記組合せパターンは、前記第１補助線の第１軸線と前記第２補助線の第２軸線とがほぼ平行とされ、前記第１軸線と前記第２軸線間の距離が、前記第１補助線の線幅及び前記第２補助線の線幅のうち、いずれか短い方の線幅の１／２以上であることを特徴とするタッチパネル。
【請求項９】
請求項８記載のタッチパネルにおいて、
前記第１軸線と前記第２軸線間の距離が、前記第１補助線の線幅の１／２と前記第２補助線の線幅の１／２との合計であることを特徴とするタッチパネル。
【請求項１０】
請求項８記載のタッチパネルにおいて、
前記第１軸線と前記第２軸線間の距離が、前記第１補助線の線幅の１／２と前記第２補助線の線幅の１／２との合計未満であることを特徴とするタッチパネル。
【請求項１１】
請求項８〜１０のいずれか１項に記載のタッチパネルにおいて、
前記組合せパターンは、前記第１補助線と前記第２補助線とが一部重なる形態を有することを特徴とするタッチパネル。
【請求項１２】
請求項８記載のタッチパネルにおいて、
前記第１軸線と前記第２軸線間の距離が、前記第１補助線の線幅の１／２と前記第２補助線の線幅の１／２との合計よりも長いことを特徴とするタッチパネル。
【請求項１３】
請求項８〜１２のいずれか１項に記載のタッチパネルにおいて、
前記第１方向と前記第２方向とを二等分する方向を第３方向とし、該第３方向と直交する方向を第４方向としたとき、
前記第１導電部と前記第２導電部は、基準位置から少なくとも前記第３方向に前記第１補助線の線幅及び前記第２補助線の線幅のうち、いずれか短い方の線幅の１／２以上ずれて配置されていることを特徴とするタッチパネル。
【請求項１４】
請求項１３記載のタッチパネルにおいて、
前記基準位置は、
前記第１補助線の第１軸線と第２補助線の第２軸線とが一致し、且つ、前記第１補助線と前記第２補助線とが重ならず、且つ、前記第１補助線の一端と前記第２補助線の一端とが一致する位置を示すことを特徴とするタッチパネル。
【請求項１５】
請求項１記載のタッチパネルにおいて、
前記第１補助長線及び前記第２補助長線の長さは、前記小格子の一辺の長さと同等以上であることを特徴とするタッチパネル。
【請求項１６】
請求項１又は１５記載のタッチパネルにおいて、
前記第１補助パターンは、複数の前記第１補助線と、前記第１補助長線とが交差することによる第１Ｚ字状パターンを備え、
前記第２補助パターンは、複数の前記第２補助線と、前記第２補助長線とが交差することによる第２Ｚ字状パターンを備えることを特徴とするタッチパネル。
【請求項１７】
基体と、
前記基体の一方の主面に形成された第１導電部と、
前記基体の他方の主面に形成された第２導電部とを有し、
前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、
前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、
各前記第１感知部及び各前記第２感知部は、それぞれ２以上の小格子が組み合わされて構成され、
前記第１補助線及び前記第２補助線の長さは、前記小格子の一辺の長さよりも短く、
前記第１補助パターンは、複数の前記第１補助線と交差する第１補助長線を備え、前記第２補助パターンは、複数の前記第２補助線と交差する第２補助長線を備え、
上面から見たとき、前記第１透明導電パターンに隣接して前記第２透明導電パターンが配置された形態とされ、
前記第１透明導電パターンと前記第２透明導電パターンとの間に、前記第１補助パターンと前記第２補助パターンとが対向することによる組合せパターンが形成されていることを特徴とする導電シート。
【請求項１８】
基体と、
前記基体の一方の主面に形成された第１導電部と、
前記基体の他方の主面に形成された第２導電部とを有し、
前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、
前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、
各前記第１感知部及び各前記第２感知部は、それぞれ２以上の小格子が組み合わされて構成され、
前記第１補助線及び前記第２補助線の長さは、前記小格子の一辺の長さよりも短く、
上面から見たとき、前記第１透明導電パターンに隣接して前記第２透明導電パターンが配置された形態とされ、
前記第１透明導電パターンと前記第２透明導電パターンとの間に、前記第１補助パターンと前記第２補助パターンとが対向することによる組合せパターンが形成され、
前記組合せパターンは、前記第１補助線と前記第２補助線とが直交して重ならない形態を有することを特徴とする導電シート。
【請求項１９】
導電シートを有するタッチパネルにおいて、
前記導電シートは、
第１透明基体の一主面に形成された第１導電部を有する第１導電シートと、
第２透明基体の一主面に形成された第２導電部を有する第２導電シートとが積層されて構成され、
前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、
前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、
各前記第１感知部及び各前記第２感知部は、それぞれ２以上の小格子が組み合わされて構成され、
前記第１補助線及び前記第２補助線の長さは、前記小格子の一辺の長さよりも短く、
前記第１補助パターンは、複数の前記第１補助線と交差する第１補助長線を備え、前記第２補助パターンは、複数の前記第２補助線と交差する第２補助長線を備え、
上面から見たとき、前記第１透明導電パターンと前記第２透明導電パターンとが交差して配置された形態とされ、
前記第１透明導電パターンと前記第２透明導電パターンとの間に、前記第１補助パターンと前記第２補助パターンとが対向することによる組合せパターンが形成されていることを特徴とするタッチパネル。
【請求項２０】
導電シートを有するタッチパネルにおいて、
前記導電シートは、
第１透明基体の一主面に形成された第１導電部を有する第１導電シートと、
第２透明基体の一主面に形成された第２導電部を有する第２導電シートとが積層されて構成され、
前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、
前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、
各前記第１感知部及び各前記第２感知部は、それぞれ２以上の小格子が組み合わされて構成され、
前記第１補助線及び前記第２補助線の長さは、前記小格子の一辺の長さよりも短く、
上面から見たとき、前記第１透明導電パターンと前記第２透明導電パターンとが交差して配置された形態とされ、
前記第１透明導電パターンと前記第２透明導電パターンとの間に、前記第１補助パターンと前記第２補助パターンとが対向することによる組合せパターンが形成され、
前記組合せパターンは、前記第１補助線と前記第２補助線とが直交して重ならない形態を有することを特徴とするタッチパネル。
【発明の詳細な説明】
【技術分野】
【０００１】
本発明は、タッチパネル及び導電シートに関し、例えば投影型静電容量方式のタッチパネルに用いて好適なタッチパネル及び導電シートに関する。
【背景技術】
【０００２】
金属細線を用いた透明導電膜については、例えば、特許文献１及び２で開示されているように、研究が継続されている。
近時、タッチパネルが注目されている。タッチパネルは、ＰＤＡ（携帯情報端末）や携帯電話等の小サイズへの適用が主となっているが、パソコン用ディスプレイ等への適用による大サイズ化が進むと考えられる。
このような将来の動向において、従来の電極は、ＩＴＯ（酸化インジウムスズ）を用いていることから、抵抗が大きく、適用サイズが大きくなるにつれて、電極間の電流の伝達速度が遅くなり、応答速度（指先を接触してからその位置を検出するまでの時間）が遅くなるという問題がある。
そこで、金属製の細線（金属細線）にて構成した格子を多数並べて電極を構成することで表面抵抗を低下させることが考えられる。金属細線を電極に用いたタッチパネルとしては、例えば、特許文献３〜９が知られている。
【先行技術文献】
【特許文献】
【０００３】
【特許文献１】米国特許出願公開第２００４／０２２９０２８号明細書
【特許文献２】国際公開第２００６／００１４６１号パンフレット
【特許文献３】特開平５−２２４８１８号公報
【特許文献４】米国特許第５１１３０４１号明細書
【特許文献５】国際公開第１９９５／２７３３４号パンフレット
【特許文献６】米国特許出願公開第２００４／０２３９６５０号明細書
【特許文献７】米国特許第７２０２８５９号明細書
【特許文献８】国際公開第１９９７／１８５０８号パンフレット
【特許文献９】特開２００３−０９９１８５号公報
【発明の概要】
【発明が解決しようとする課題】
【０００４】
ところで、投影型静電容量方式のタッチパネルのタッチスイッチは、基板と、前記基板の一面に形成され、一定間隔で並べられた複数の第１電極と、前記基板の他面に形成され、一定間隔で並べられ、前記複数の第１電極とで格子状になる複数の第２電極と、を備え、ディスプレイの前面に取り付けられるタッチスイッチがある。前記第１電極と第２電極がそれぞれ複数の導体線によって金属細線で形成することが考えられる。このタッチスイッチでは、第１電極同士の間や第２電極同士の間に補助線を設け視認の均一性を担保することが必要になる。
【０００５】
しかし、基板に第１電極同士の間や第２電極同士の間に補助線を形成する場合、製造ばらつき（成膜ばらつき）によって、格子形状が均一にならなくなり、特に、ずれの方向が補助線の軸線方向であった場合、ずれ量がわずかであっても、不均一な格子形状の一部において直線部分が重なることとなる。そうすると、直線部分同士が重なった部分の幅が大きくなり（線太り）、これにより、第１電極や第２電極の位置が目立ってしまい、視認性が劣化するという問題が生じる。
【０００６】
本発明はこのような課題を考慮してなされたものであり、基体上に形成される透明導電パターンの低抵抗化を図ることができると共に、視認性も向上させることができ、例えば投影型静電容量方式のタッチパネルの大サイズ化にも対応させることができ、しかも、モアレの発生を抑制することができるタッチパネルを提供することを目的とする。
また、本発明の他の目的は、基体上に形成される透明導電パターンの低抵抗化を図ることができると共に、視認性も向上させることができ、例えば投影型静電容量方式のタッチパネルに用いて好適な導電シートを提供することを目的とする。
【課題を解決するための手段】
【０００７】
［１］  第１の本発明に係るタッチパネルは、導電シートを有するタッチパネルにおいて、導電シートは、基体と、前記基体の一方の主面に形成された第１導電部と、前記基体の他方の主面に形成された第２導電部とを有し、前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、各前記第１感知部及び各前記第２感知部は、それぞれ２以上の小格子が組み合わされて構成され、前記第１補助線及び前記第２補助線の長さは、前記小格子の一辺の長さよりも短く、上面から見たとき、前記第１透明導電パターンと前記第２透明導電パターンとが交差して配置された形態とされ、前記第１透明導電パターンと前記第２透明導電パターンとの間に、前記第１補助パターンと前記第２補助パターンとが対向することによる組合せパターンが形成されていることを特徴とする。
［２］  第１の本発明において、前記第１導電部及び前記第２導電部の線幅が３０μｍ以下であり、前記小格子の一辺の長さが５０〜５００μｍであることを特徴とする。
［３］  第１の本発明において、前記第１感知部及び前記第２感知部の一辺の長さが３〜１０ｍｍであることを特徴とする。
［４］  第１の本発明において、前記第１補助線及び前記第２補助線の長さは、前記小格子の一辺の長さの４／５以下であることを特徴とする。
［５］  第１の本発明において、前記第１補助線及び前記第２補助線の長さは、前記小格子の一辺の長さの１／２以下であることを特徴とする。
［６］  第１の本発明において、前記組合せパターンは、２以上の小格子が組み合わされて構成されていることを特徴とする。
［７］  第１の本発明において、前記組合せパターンは、前記第１補助線と前記第２補助線とが直交して重ならない形態を有することを特徴とする。
［８］  第１の本発明において、前記組合せパターンは、前記第１補助線の第１軸線と前記第２補助線の第２軸線とがほぼ平行とされ、前記第１軸線と前記第２軸線間の距離が、前記第１補助線の線幅及び前記第２補助線の線幅のうち、いずれか短い方の線幅の１／２以上であることを特徴とする。
［９］  第１の本発明において、前記第１軸線と前記第２軸線間の距離が、前記第１補助線の線幅の１／２と前記第２補助線の線幅の１／２との合計であることを特徴とする。
［１０］  第１の本発明において、前記第１軸線と前記第２軸線間の距離が、前記第１補助線の線幅の１／２と前記第２補助線の線幅の１／２との合計未満であることを特徴とする。
［１１］  第１の本発明において、前記組合せパターンは、前記第１補助線と前記第２補助線とが一部重なる形態を有することを特徴とする。
［１２］  第１の本発明において、前記第１軸線と前記第２軸線間の距離が、前記第１補助線の線幅の１／２と前記第２補助線の線幅の１／２との合計よりも長いことを特徴とする。
［１３］  第１の本発明において、前記第１方向と前記第２方向とを二等分する方向を第３方向とし、該第３方向と直交する方向を第４方向としたとき、前記第１導電部と前記第２導電部は、基準位置から少なくとも前記第３方向に前記第１補助線の線幅及び前記第２補助線の線幅のうち、いずれか短い方の線幅の１／２以上ずれて配置されていることを特徴とする。
［１４］  第１の本発明において、前記基準位置は、前記第１補助線の第１軸線と第２補助線の第２軸線とが一致し、且つ、前記第１補助線と前記第２補助線とが重ならず、且つ、前記第１補助線の一端と前記第２補助線の一端とが一致する位置を示すことを特徴とする。
［１５］  第１の本発明において、前記第１補助パターンは、複数の前記第１補助線と交差する第１補助長線を備え、前記第２補助パターンは、複数の前記第２補助線と交差する第２補助長線を備えることを特徴とする。
［１６］  第１の本発明において、前記第１補助長線及び前記第２補助長線の長さは、前記小格子の一辺の長さと同等以上であることを特徴とする。
［１７］  第１の本発明において、前記第１補助パターンは、複数の前記第１補助線と、前記第１補助長線とが交差することによる第１Ｚ字状パターンを備え、前記第２補助パターンは、複数の前記第２補助線と、前記第２補助長線とが交差することによる第２Ｚ字状パターンを備えることを特徴とする。
［１８］  第２の本発明に係る導電シートは、基体と、前記基体の一方の主面に形成された第１導電部と、前記基体の他方の主面に形成された第２導電部とを有し、前記第１導電部は、２以上の第１感知部が第１方向に直列に接続されて構成された２以上の第１透明導電パターンが前記第１方向と直交する第２方向に配列され、且つ、前記第１感知部の辺の周囲に、複数の第１補助線からなる第１補助パターンが配列されて構成され、前記第２導電部は、２以上の第２感知部が前記第２方向に直列に接続されて構成された２以上の第２透明導電パターンが前記第１方向に配列され、且つ、前記第２感知部の辺の周囲に、複数の第２補助線からなる第２補助パターンが配列されて構成され、各前記第１感知部及び各前記第２感知部は、それぞれ２以上の小格子が組み合わされて構成され、前記第１補助線及び前記第２補助線の長さは、前記小格子の一辺の長さよりも短く、上面から見たとき、前記第１透明導電パターンに隣接して前記第２透明導電パターンが配置された形態とされ、前記第１透明導電パターンと前記第２透明導電パターンとの間に、前記第１補助パターンと前記第２補助パターンとが対向することによる組合せパターンが形成されていることを特徴とする。
【発明の効果】
【０００８】
以上説明したように、本発明に係るタッチパネルによれば、基体上に形成される透明導電パターンの低抵抗化を図ることができると共に、視認性も向上させることができ、例えば投影型静電容量方式のタッチパネルの大サイズ化にも対応させることができ、しかも、モアレの発生を抑制することができる。
本発明に係る導電シートによれば、基体上に形成される透明導電パターンの低抵抗化を図ることができると共に、視認性も向上させることができ、例えば投影型静電容量方式のタッチパネルに用いて好適となる。
【図面の簡単な説明】
【０００９】
【図１】第１の実施の形態に係るタッチパネル用導電シートを一部省略して示す分解斜視図である。
【図２】図２Ａはタッチパネル用導電シートの一例を一部省略して示す断面図であり、図２Ｂはタッチパネル用導電シートの他の例を一部省略して示す断面図である。
【図３】第１の実施の形態に係る第１導電シートに形成される第１導電部のパターン例を示す平面図である。
【図４】第１の実施の形態に係る第２導電シートに形成される第２導電部のパターン例を示す平面図である。
【図５】第１の実施の形態に係る第１導電シートと第２導電シートを組み合わせてタッチパネル用導電シートとした例（積層ずれがない場合）を一部省略して示す平面図である。
【図６】基準位置の例を示す説明図である。
【図７】第１導電シートと第２導電シートを組み合わせてタッチパネル用導電シートとした例（積層ずれがある場合）を一部省略して示す平面図である。
【図８】図８Ａ〜図８Ｃは組合せパターンのうち、第１大格子の辺に沿って配列された第１補助線と第２大格子の辺に沿って配列された第２補助線とによる組合せパターンの例を示す説明図である。
【図９】組合せパターンのうち、第１非接続部の２つの第１Ｌ字状パターンにおける各第１補助線と第２非接続部の２つの第２Ｌ字状パターンにおける各第２補助線とによる組合せパターンの例を示す説明図である。
【図１０】第２の実施の形態に係るタッチパネル用導電シートを一部省略して示す分解斜視図である。
【図１１】図１１Ａはタッチパネル用導電シートの一例を一部省略して示す断面図であり、図１１Ｂはタッチパネル用導電シートの他の例を一部省略して示す断面図である。
【図１２】第２の実施の形態に係る第１導電シートに形成される第１導電部のパターン例を示す平面図である。
【図１３】第２の実施の形態に係る第２導電シートに形成される第２導電部のパターン例を示す平面図である。
【図１４】第２の実施の形態に係る第１導電シートと第２導電シートを組み合わせてタッチパネル用導電シートとした例を一部省略して示す平面図である。
【発明を実施するための形態】
【００１０】
以下、本発明に係る導電シート及び静電容量方式タッチパネルの実施の形態例を図１〜図１４を参照しながら説明する。なお、本明細書において数値範囲を示す「〜」は、その前後に記載される数値を下限値及び上限値として含む意味として使用される。
【００１１】
先ず、第１の実施の形態について、図１〜図９を参照しながら説明する。第１の実施の形態に係るタッチパネル用の導電シート（以下、タッチパネル用導電シート１０と記す）は、図１及び図２Ａに示すように、第１導電シート１２Ａと第２導電シート１２Ｂとが積層されて構成されている。
【００１２】
第１導電シート１２Ａは、図１及び図３に示すように、第１透明基体１４Ａ（図２Ａ参照）の一主面上に形成された第１導電部１６Ａを有する。この第１導電部１６Ａは、それぞれ第１方向（ｘ方向）に延在し、且つ、第１方向と直交する第２方向（ｙ方向）に配列され、多数の格子にて構成された金属細線１５による２以上の第１透明導電パターン１８Ａと、各第１透明導電パターン１８Ａの周辺に配列された金属細線１５による第１補助パターン２０Ａとを有する。
【００１３】
第１透明導電パターン１８Ａは、２以上の第１大格子２４Ａ（第１感知部）が第１方向に直列に接続されて構成され、各第１大格子２４Ａは、それぞれ２以上の小格子２６が組み合わされて構成されている。また、第１大格子２４Ａの辺の周囲に、第１大格子２４Ａと非接続とされた上述の第１補助パターン２０Ａが形成されている。
【００１４】
隣接する第１大格子２４Ａ間には、これら第１大格子２４Ａを電気的に接続する金属細線１５による第１接続部２８Ａが形成されている。第１方向と第２方向とを二等分する方向を第３方向（ｍ方向）とし、第３方向と直交する方向を第４方向（ｎ方向）としたとき、第１接続部２８Ａは、ｎ個（ｎは１より大きい実数）の小格子２６が第４方向に配列された大きさの中格子３０が配置されて構成されている。第１大格子２４Ａの第４方向と直交する辺のうち、中格子３０と隣接する部分には、小格子２６の１つの辺が欠除した第１欠除部３２Ａが形成されている。小格子２６は、ここでは一番小さい正方形状とされている。中格子３０は、図３の例では、３個分の小格子２６が第４方向に配列された大きさを有する。
【００１５】
また、隣接する第１透明導電パターン１８Ａ間は電気的に絶縁された第１非接続部３４Ａが配されている。
ここで、第１補助パターン２０Ａは、第１大格子２４Ａの辺のうち、第３方向と直交する辺に沿って配列された複数の第１補助線３６Ａ（第３方向を軸線方向とする）と、第１大格子２４Ａの辺のうち、第４方向と直交する辺に沿って配列された複数の第１補助線３６Ａ（第４方向を軸線方向とする）と、第１非接続部３４Ａにおいて、それぞれ２つの第１補助線３６ＡがＬ字状に組み合わされた２つの第１Ｌ字状パターン３８Ａが互いに対向して配置されたパターンとを有する。
【００１６】
各第１補助線３６Ａの軸線方向の長さは、小格子２６の内周に沿った１つの辺の４／５以下、好ましくは１／２以下の長さを有する。また、各第１補助線３６Ａは、第１大格子２４Ａから所定距離だけ離間した位置に形成されている。所定距離は、小格子２６の内周に沿った１つの辺の長さから第１補助線３６Ａの軸線方向の長さを差し引いた長さである。例えば第１補助線３６Ａの軸線方向の長さが、小格子２６の内周に沿った１つの辺の４／５や１／２であれば、前記所定距離は、小格子２６の内周に沿った１つの辺の１／５や１／２となる。
【００１７】
上述のように構成された第１導電シート１２Ａは、図１に示すように、各第１透明導電パターン１８Ａの一方の端部側に存在する第１大格子２４Ａの開放端は、第１接続部２８Ａが存在しない形状となっている。各第１透明導電パターン１８Ａの他方の端部側に存在する第１大格子２４Ａの端部は、第１端子４０Ａを介して第１外部配線４２Ａに電気的に接続されている。
【００１８】
一方、第２導電シート１２Ｂは、図１及び図４に示すように、第２透明基体１４Ｂ（図２Ａ参照）の一主面上に形成された第２導電部１６Ｂを有する。この第２導電部１６Ｂは、それぞれ第２方向（ｙ方向）に延在し、且つ、第１方向（ｘ方向）に配列され、多数の格子にて構成された２以上の金属細線１５による第２透明導電パターン１８Ｂと、各第２透明導電パターン１８Ｂの周辺に配列された金属細線１５による第２補助パターン２０Ｂとを有する。
【００１９】
第２透明導電パターン１８Ｂは、２以上の第２大格子２４Ｂ（第２感知部）が第２方向に直列に接続されて構成され、各第２大格子２４Ｂは、それぞれ２以上の小格子２６が組み合わされて構成されている。また、第２大格子２４Ｂの辺の周囲に、第２大格子２４Ｂと非接続とされた上述の第２補助パターン２０Ｂが形成されている。
【００２０】
隣接する第２大格子２４Ｂ間には、これら第２大格子２４Ｂを電気的に接続する金属細線１５による第２接続部２８Ｂが形成されている。第２接続部２８Ｂは、ｎ個（ｎは１より大きい実数）の小格子２６が第３方向に配列された大きさの中格子３０が配置されて構成されている。第２大格子２４Ｂの第３方向と直交する辺のうち、中格子３０と隣接する部分には、小格子２６の１つの辺が欠除した第２欠除部３２Ｂが形成されている。
【００２１】
また、隣接する第２透明導電パターン１８Ｂ間は電気的に絶縁された第２非接続部３４Ｂが配されている。
【００２２】
第２補助パターン２０Ｂは、第２大格子２４Ｂの辺のうち、第４方向と直交する辺に沿って配列された複数の第２補助線３６Ｂ（第４方向を軸線方向とする）と、第２大格子２４Ｂの辺のうち、第３方向と直交する辺に沿って配列された複数の第２補助線３６Ｂ（第３方向を軸線方向とする）と、第２非接続部３４Ｂにおいて、それぞれ２つの第２補助線３６ＢがＬ字状に組み合わされた２つの第２Ｌ字状パターン３８Ｂが互いに対向して配置されたパターンとを有する。
【００２３】
各第２補助線３６Ｂの軸線方向の長さは、上述した第１補助線３６Ａと同様に、小格子２６の内周に沿った１つの辺の４／５以下、好ましくは１／２以下の長さを有する。また、各第２補助線３６Ｂは、第２大格子２４Ｂから所定距離だけ離間した位置に形成されている。この所定距離についても、上述した第１補助線３６Ａと同様に、小格子２６の内周に沿った１つの辺の長さから第２補助線３６Ｂの軸線方向の長さを差し引いた長さである。例えば第２補助線３６Ｂの軸線方向の長さが、小格子２６の内周に沿った１つの辺の４／５や１／２であれば、前記所定距離は、小格子２６の内周に沿った１つの辺の１／５や１／２となる。
【００２４】
上述のように構成された第２導電シート１２Ｂは、図１に示すように、各第２透明導電パターン１８Ｂの一方の端部側に存在する第２大格子２４Ｂの開放端は、第２接続部２８Ｂが存在しない形状となっている。各第２透明導電パターン１８Ｂの他方の端部側に存在する第２大格子２４Ｂの端部は、第２端子４０Ｂを介して第２外部配線４２Ｂに電気的に接続されている。
【００２５】
第１大格子２４Ａ及び第２大格子２４Ｂの一辺の長さは、３〜１０ｍｍであることが好ましく、４〜６ｍｍであることがより好ましい。一辺の長さが、上記下限値未満であると、検出時の第１大格子２４Ａ及び第２大格子２４Ｂの静電容量が減るため、検出不良になる可能性が高くなる。他方、上記上限値を超えると、位置検出精度が低下する虞がある。同様の観点から、第１大格子２４Ａ及び第２大格子２４Ｂを構成する小格子２６の一辺の長さは５０〜５００μｍであることが好ましく、１５０〜３００μｍであることがさらに好ましい。小格子２６が上記範囲である場合には、さらに透明性も良好に保つことが可能であり、表示装置の前面にとりつけた際に、違和感なく表示を視認することができる。
【００２６】
また、第１透明導電パターン１８Ａ（第１大格子２４Ａ、中格子３０）の線幅、並びに第２透明導電パターン１８Ｂ（第２大格子２４Ｂ、中格子３０）の線幅は、それぞれ下限は１μｍ以上、３μｍ以上、４μｍ以上、もしくは５μｍ以上が好ましく、上限は３０μｍ以下、１５μｍ以下、１０μｍ以下、９μｍ以下、８μｍ以下が好ましい。線幅が上記下限値未満の場合には、導電性が不十分となるためタッチパネルに使用した場合に、検出感度が不十分となる。他方、上記上限値を越えると金属細線１５に起因するモアレが顕著になったり、タッチパネルに使用した際に視認性が悪くなったりする。
【００２７】
第１補助パターン２０Ａ（第１補助線３６Ａ）及び第２補助パターン２０Ｂ（第２補助線３６Ｂ）の線幅は、それぞれ下限は１μｍ以上、３μｍ以上、４μｍ以上、もしくは５μｍ以上が好ましく、上限は３０μｍ以下、１５μｍ以下、１０μｍ以下、９μｍ以下、８μｍ以下が好ましい。この場合、第１透明導電パターン１８Ａの線幅や第２透明導電パターン１８Ｂの線幅と同じでもよく、異なっていてもよい。ただ、第１透明導電パターン１８Ａ、第２透明導電パターン１８Ｂ、第１補助パターン２０Ａ及び第２補助パターン２０Ｂの各線幅を同じにすることが好ましい。
【００２８】
そして、例えば第２導電シート１２Ｂ上に第１導電シート１２Ａを積層してタッチパネル用導電シート１０としたとき、図５に示すように、第１透明導電パターン１８Ａと第２透明導電パターン１８Ｂとが交差して配置された形態とされ、具体的には、第１透明導電パターン１８Ａの第１接続部２８Ａと第２透明導電パターン１８Ｂの第２接続部２８Ｂとが第１透明基体１４Ａ（図２Ａ参照）を間に挟んで対向し、第１導電部１６Ａの第１非接続部３４Ａと第２導電部１６Ｂの第２非接続部３４Ｂとが第１透明基体１４Ａを間に挟んで対向した形態となる。
【００２９】
積層した第１導電シート１２Ａ及び第２導電シート１２Ｂを上面から見たとき、図５に示すように、第１導電シート１２Ａに形成された第１大格子２４Ａの隙間を埋めるように、第２導電シート１２Ｂの第２大格子２４Ｂが配列された形態となる。このとき、第１大格子２４Ａと第２大格子２４Ｂとの間に、第１補助パターン２０Ａと第２補助パターン２０Ｂとが対向することによる組合せパターン４４が形成される。組合せパターン４４は、第１導電シート１２Ａと第２導電シート１２Ｂで積層ずれがない場合、図６に示すように、第１補助線３６Ａの第１軸線４６Ａと第２補助線３６Ｂの第２軸線４６Ｂとが一致し、且つ、第１補助線３６Ａと第２補助線３６Ｂとが重ならず、且つ、第１補助線３６Ａの一端と第２補助線３６Ｂの一端とが一致し、これにより、小格子２６の１つの辺を構成することとなる。つまり、組合せパターン４４は、２以上の小格子２６が組み合わされた形態となる。その結果、積層した第１導電シート１２Ａ及び第２導電シート１２Ｂを上面から見たとき、図５に示すように、多数の小格子２６が敷き詰められた形態となる。
【００３０】
次に、第１導電シート１２Ａと第２導電シート１２Ｂで積層ずれがあった場合について以下に説明する。
組合せパターン４４が、第１補助線３６Ａと第２補助線３６Ｂとが直交して重ならない形態を有することから、第１補助線３６Ａ及び第２補助線３６Ｂの軸線方向に積層ずれがあった場合であっても、図７に示すように、積層ずれが所定の範囲にあれば、視認性の低下をもたらすことはない。
【００３１】
すなわち、視認性の低下をきたさない積層ずれの形態や範囲としては、以下の通りである。
組合せパターン４４のうち、第１大格子２４Ａの辺に沿って配列された第１補助線３６Ａと第２大格子２４Ｂの辺に沿って配列された第２補助線３６Ｂとによる組合せパターンは、図８Ａ〜図８Ｃに示すように、第１補助線３６Ａの第１軸線４６Ａと第２補助線３６Ｂの第２軸線４６Ｂとがほぼ平行とされ、第１軸線４６Ａと第２軸線４６Ｂ間の平面から見た距離ｈａが、第１補助線３６Ａの線幅Ｗａ及び第２補助線３６Ｂの線幅Ｗｂのうち、いずれか短い方の線幅の１／２以上１００μｍ以下（あるいは小格子２６の配列ピッチの１／２以下）である。
【００３２】
図８Ａは、第１軸線４６Ａと第２軸線４６Ｂ間の距離ｈａが、第１補助線３６Ａの線幅Ｗａの１／２と第２補助線３６Ｂの線幅Ｗｂの１／２との合計未満である場合を示し、この場合、第１補助線３６Ａと第２補助線３６Ｂとが一部重なる形態となる。図８Ｂは、第１軸線４６Ａと第２軸線４６Ｂ間の距離ｈａが、第１補助線３６Ａの線幅Ｗａの１／２と第２補助線３６Ｂの線幅Ｗｂの１／２との合計である場合を示す。図８Ｃは、第１軸線４６Ａと第２軸線４６Ｂ間の距離ｈａが、第１補助線３６Ａの線幅Ｗａの１／２と第２補助線３６Ｂの線幅Ｗｂの１／２との合計よりも長い場合を示す。
【００３３】
組合せパターン４４のうち、第１非接続部３４Ａの２つの第１Ｌ字状パターン３８Ａにおける各第１補助線３６Ａと第２非接続部３４Ｂの２つの第２Ｌ字状パターン３８Ｂにおける各第２補助線３６Ｂとによる組合せパターンは、４つのＬ字状パターン（３８Ａ、３８Ａ、３８Ｂ及び３８Ｂ）で小格子２６を形成しない形態となる。
【００３４】
すなわち、図９に示すように、一方の第２Ｌ字状パターン３８Ｂ寄りに２つの第１Ｌ字状パターン３８Ａが位置し、他方の第２Ｌ字状パターン３８Ｂが、これら一方の第２Ｌ字状パターン３８Ｂ及び２つの第１Ｌ字状パターン３８Ａから離れて位置された形態となる。このうち、一方の第２Ｌ字状パターン３８Ｂ及び２つの第１Ｌ字状パターン３８Ａは、一方の第２Ｌ字状パターン３８Ｂを構成する２つの第２補助線３６Ｂのうちの一方の第２補助線３６Ｂの第２軸線４６Ｂと、一方の第１Ｌ字状パターン３８Ａを構成する２つの第１補助線３６Ａのうちの一方の第１補助線３６Ａの第１軸線４６Ａとがほぼ平行とされ、これら第１軸線４６Ａと第２軸線４６Ｂ間の距離ｈａが、第１補助線３６Ａの線幅Ｗａ及び第２補助線３６Ｂの線幅Ｗｂのうち、いずれか短い方の線幅の１／２以上１００μｍ以下（あるいは小格子２６の配列ピッチの１／２以下）である。
【００３５】
同様に、一方の第２Ｌ字状パターン３８Ｂを構成する２つの第２補助線３６Ｂのうちの他方の第２補助線３６Ｂの第２軸線４６Ｂと、他方の第１Ｌ字状パターン３８Ａを構成する２つの第１補助線３６Ａのうちの一方の第１補助線３６Ａの第１軸線４６Ａとがほぼ平行とされ、これら第１軸線４６Ａと第２軸線４６Ｂ間の距離ｈａが、第１補助線３６Ａの線幅Ｗａ及び第２補助線３６Ｂの線幅Ｗｂのうち、いずれか短い方の線幅の１／２以上１００μｍ以下（あるいは小格子２６の配列ピッチの１／２以下）である。そして、一方の第２Ｌ字状パターン３８Ｂ及び２つの第１Ｌ字状パターン３８Ａにおける第２補助線３６Ｂ及び第１補助線３６Ａの位置関係は、図８Ａ〜図８Ｃと同様である。
【００３６】
すなわち、第１導電部１６Ａと第２導電部１６Ｂは、基準位置から少なくとも第３方向に第１補助線３６Ａの線幅Ｗａ及び第２補助線３６Ｂの線幅Ｗｂのうち、いずれか短い方の線幅の１／２以上１００μｍ以下（あるいは小格子２６の配列ピッチの１／２以下）だけずれて配置されても視認性の低下をきたさない。特に、第１の実施の形態では、第３方向及び第４方向にそれぞれ第１補助線３６Ａの線幅Ｗａ及び第２補助線３６Ｂの線幅Ｗｂのうち、いずれか短い方の線幅の１／２以上１００μｍ以下（あるいは小格子２６の配列ピッチの１／２以下）だけずれて配置されても視認性の低下をきたさない。
【００３７】
ここで、基準位置は、図６に示すように、第１補助線３６Ａの第１軸線４６Ａと第２補助線３６Ｂの第２軸線４６Ｂとが一致し、且つ、第１補助線３６Ａと第２補助線３６Ｂとが重ならず、且つ、第１補助線３６Ａの一端と第２補助線３６Ｂの一端とが一致する位置を示す。
【００３８】
このように、第１の実施の形態に係るタッチパネル用導電シート１０においては、図５にも示すように、第１大格子２４Ａと第２大格子２４Ｂとの間に、第１補助パターン２０Ａと第２補助パターン２０Ｂとの組合せパターン４４が配置されることから、第１大格子２４Ａや第２大格子２４Ｂとの間に、空白（幅が小格子２６の辺の長さに相当し、長さが第１大格子２４Ａや第２大格子２４Ｂの辺の長さに相当する空白）が配置されるということがなくなり、第１大格子２４Ａと第２大格子２４Ｂとの境界が目立つということがなくなる。
【００３９】
しかも、積層ずれがあったとしても、図７に示すように、組合せパターン４４において、小格子２６の内周に沿った１つの辺の１／２の長さを有する第１補助線３６Ａと第２補助線３６Ｂとが一部重なった形態となり、その重なった部分の長さは、第１大格子２４Ａや第２大格子２４Ｂの各辺の長さと比較して非常に短く、１／２０以下の短さである。従って、第１補助線３６Ａと第２補助線３６Ｂとが一部重なる部分が目立つということはなく、視認性の劣化はほとんどない。これは、第１Ｌ字状パターン３８Ａと第２Ｌ字状パターン３８Ｂとの組合せにおいても同様であり、図９でも示すように、一方の第２Ｌ字状パターン３８Ｂ及び２つの第１Ｌ字状パターン３８Ａにおいても、小格子２６の内周に沿った１つの辺の１／２の長さを有する第１補助線３６Ａと第２補助線３６Ｂとが一部重なった形態となり、その重なった部分の長さは、第１大格子２４Ａや第２大格子２４Ｂの各辺の長さと比較して非常に短く、１／２０以下の短さである。従って、第１補助線３６Ａと第２補助線３６Ｂとが一部重なる部分が目立つということはなく、視認性の劣化はほとんどない。
【００４０】
また、第１大格子２４Ａと第２大格子２４Ｂの各辺では、第１補助線３６Ａや第２補助線３６Ｂが直交して重なることになるが、第１補助線３６Ａや第２補助線３６Ｂの軸線方向の長さは、小格子２６の内周に沿った１つの辺の１／２の長さであるから、ほとんど目立つことがない。
【００４１】
また、第１接続部２８Ａの中格子３０と第２接続部２８Ｂの中格子３０とが直交して重なることになるが、この場合、第１導電部１６Ａ及び第２導電部１６Ｂが第３方向と第４方向にずれていることから、一部において、小格子２６の形状が均一にならない部分が生じる。しかし、小格子２６が不均一となった部分の数は、第１接続部２８Ａの中格子３０と第２接続部２８Ｂの中格子３０とが直交して重なる部分の四方に存在する第１大格子２４Ａの小格子２６の数、第２大格子２４Ｂの小格子２６の数に比して少ないことから（５％程度）、小格子２６の不均一さはほとんど目立たない。しかも、第１大格子２４Ａ及び第２大格子２４Ｂに中格子３０に隣接して第１欠除部３２Ａ及び第２欠除部３２Ｂを形成するようにしたので、中格子３０の直線部分が第１大格子２４Ａの直線部分や第２大格子２４Ｂの直線部分と重なることがなく、視認性の劣化はほとんどない。
【００４２】
そして、このタッチパネル用導電シート１０をタッチパネルとして使用する場合は、第１導電シート１２Ａ上に保護層を形成し、第１導電シート１２Ａの多数の第１透明導電パターン１８Ａから導出された第１外部配線４２Ａと、第２導電シート１２Ｂの多数の第２透明導電パターン１８Ｂから導出された第２外部配線４２Ｂとを、例えばスキャンをコントロールするＩＣ回路に接続する。このとき、タッチパネル用導電シート１０のうち、液晶表示装置の表示画面から外れた外周領域（額縁領域）の面積が極力小さくなるように、第１透明導電パターン１８Ａと第１外部配線４２Ａとの各接続部が直線状に配列された形態にし、第２透明導電パターン１８Ｂと第２外部配線４２Ｂとの各接続部が直線状に配列された形態にすることが好ましい。
【００４３】
指先を保護層上に接触させることで、指先に対向する第１透明導電パターン１８Ａと第２透明導電パターン１８Ｂ間の静電容量が変化する。ＩＣ回路では、この変化量を検出し、この変化量に基づいて指先の位置を演算する。この演算をそれぞれの第１透明導電パターン１８Ａ／第２透明導電パターン１８Ｂ間にて行う。従って、同時に２つ以上の指先を接触させても、各指先の位置を検出することが可能となる。
【００４４】
このように、タッチパネル用導電シート１０においては、該タッチパネル用導電シート１０を用いて例えば投影型静電容量方式のタッチパネルに適用した場合に、その表面抵抗が小さいことから応答速度を速めることができ、タッチパネルの大サイズ化を促進させることができる。
【００４５】
しかも、第１導電部１６Ａと第２導電部１６Ｂとがずれて配置されていても、上述したように、第１導電シート１２Ａの第１大格子２４Ａと第２導電シート１２Ｂの第２大格子２４Ｂとの境界が目立たなくなり、局部的に線太りが生じる等の不都合もなく、全体として、視認性が良好となる。さらに、第１大格子２４Ａと第２大格子２４Ｂとが隣接して配置されることによる多数の規則的な小格子２６の配列と、第１大格子２４Ａと第２大格子２４Ｂとの間に形成される第１補助線３６Ａと第２補助線３６Ｂとのずれた配置による上述の小格子２６の配列とは異なった配列が混在し、これにより、多数の空間周波数が合わさった形態となり、その結果、液晶表示装置の画素配列との干渉が抑制され、モアレの発生を効果的に低減させることができる。
【００４６】
次に第２の実施の形態について、図１０〜図１４を参照しながら説明する。第２の実施の形態に係るタッチパネル用の導電シート（以下、タッチパネル用導電シート５０と記す）は、図１０に示すように第１導電シート５２Ａと第２導電シート５２Ｂとが積層されて構成されている。
第１導電シート５２Ａは、図１０、図１１Ａ及び図１２に示すように、第１透明基体５４Ａ（図１１Ａ参照）の一主面上に形成された第１導電部５６Ａを有する。この第１導電部５６Ａは、それぞれ第１方向（ｘ方向）に延在し、且つ、第１方向と直交する第２方向（ｙ方向）に配列され、多数の格子にて構成された金属細線５５による２以上の第１透明導電パターン６４Ａと、各第１透明導電パターン６４Ａの周辺に配列された金属細線５５による第１補助パターン６６Ａとを有する。小格子７４は、ここでは一番小さいひし形とされている。小格子の頂角は６０°〜１２０°から適宜選択することができる。
【００４７】
各第１透明導電パターン６４Ａは、２以上の第１大格子６８Ａ（第１感知部）が第１方向（ｘ方向）に直列に接続されて構成され、各第１大格子６８Ａは、それぞれ２以上の小格子７４が組み合わされて構成されている。また、第１大格子６８Ａの辺の周囲に、第１大格子６８Ａと非接続とされた上述の第１補助パターン６６Ａが形成されている。
【００４８】
第１大格子６８Ａは、略ひし形状であるが、より詳細には、第１方向の頂角の小格子７４が欠除したソロバン珠形状を有している。すなわち、第１方向の２つの頂角部には、それぞれ第２方向にｒ個（ｒは１より大きい整数）の小格子７４が並んだ第１上底部７６Ａが形成され、第２方向の２つの頂角部には、１つの小格子７４が位置して、それ自体が頂角をなしている。図１２では、第１大格子６８Ａの第１方向の２つの頂角部に、それぞれ第２方向に４個の小格子７４が並び、第１上底部７６Ａを構成している。
【００４９】
第１大格子６８Ａの各斜辺には、小格子７４を構成する辺が一部突出した突出辺部７８、段差８０が設けられている。また、各斜辺と第１補助パターン６６Ａとの間には、第１大格子６８Ａと第１補助パターン６６Ａとを非接続とするための第１帯状空隙８２Ａが設けられている。この第１帯状空隙８２Ａは、第１大格子６８Ａの第２方向の頂角部から第１上底部７６Ａに向かって、第１傾斜方向（ｋ方向）又は第２傾斜方向（ｌ方向）に沿って配列した小格子７４を斜めに切り取るようにして直線的に配置される。この場合、第１帯状空隙８２Ａは、第１傾斜方向又は第２傾斜方向に沿って配列したｓ個（ｓは１より大きい整数）の小格子７４からなる平行四辺形の対角線に沿って配置される。図１２の例では、第１傾斜方向又は第２傾斜方向に沿って配列した４個の小格子７４からなる平行四辺形の対角線に沿って第１帯状空隙８２Ａが配置されている。その結果、段差８０と段差８０との間隔は小格子４個分であり、段差８０と段差８０の間にある３本の突出辺部７８の長さは、それぞれ小格子７４の一辺の長さの１／４、１／２、３／４となっている。このように、第１帯状空隙８２Ａの配置によって、第１大格子６８Ａの斜辺の角度が調整される。
【００５０】
第１帯状空隙８２Ａの第１又は第２傾斜方向の幅は、小格子７４の一辺の長さよりも小さく、例えば小格子７４の一辺の長さの１／５以上、好ましくは１／２以上とすることができる。この場合、後述する第１補助パターン６６Ａの第１又は第２傾斜方向の幅は、小格子７４の一辺の長さから、第１帯状空隙８２Ａの第１又は第２傾斜方向の幅を差し引いた大きさとすることができる。例えば、第１帯状空隙８２Ａの幅が、小格子７４の一辺の長さの１／５や１／２であれば、第１補助パターン６６Ａの幅は、小格子７４の一辺の長さの４／５や１／２となる。
【００５１】
さらに、第１大格子６８Ａの第１方向の２つの第１上底部７６Ａと、第１傾斜方向の斜辺とが隣接する部分には、小格子７４の一辺が欠除した第１欠除部９０Ａが設けられている。
【００５２】
図１２に示すように、第１方向に隣接する第１大格子６８Ａ間には、これら第１大格子６８Ａを接続する金属細線５５による第１接続部８４Ａが形成されている。第１接続部８４Ａは、ｎ個（ｎは１より大きい整数）の小格子７４が第２傾斜方向に配列された大きさの第１中格子８６Ａと、小格子７４が第２傾斜方向にｐ個（ｐは１より大きい整数）、第１傾斜方向にｑ個（ｑは１より大きい整数）の小格子７４がｐ×ｑで配列された大きさの第１中格子８８Ａによって構成されている。図１２の例では、第１中格子８６Ａは、ｎが７であり、７個分の小格子７４が第２傾斜方向に配列された大きさを有し、第１中格子８８Ａは、第２傾斜方向のｐが３、第１傾斜方向のｑが５であり、合計１５個分の小格子７４が配列された大きさを有する。
【００５３】
また、第１中格子８８Ａと第１大格子６８Ａとが隣接する部分には、上記した小格子７４の１つの辺が欠除した第１欠除部９０Ａが位置している。
【００５４】
さらに、第１方向に隣接する第１透明導電パターン６４Ａ間は、それぞれの第１大格子６８Ａを互いに非接続とする第１非接続部９２Ａが配されている。
【００５５】
第１導電部５６Ａには、第１大格子６８Ａの辺の周囲に、第１大格子６８Ａと非接続とされた上述の第１補助パターン６６Ａが形成されている。ここで、第１補助パターン６６Ａは、第１大格子６８Ａの斜辺のうち、第１傾斜方向に沿って配列された小格子７４を斜めに切り取った第１帯状空隙８２Ａの長手方向に沿って配列された複数の第１補助短線９４Ａ（第２傾斜方向を軸線方向とする）、第１補助長線９６Ａ（第１傾斜方向を軸線方向とする）と、第１大格子６８Ａの斜辺のうち、第２傾斜方向に沿って配列された小格子７４を斜めに切り取った第１帯状空隙８２Ａの長手方向に沿って配列された複数の第１補助短線９４Ａ（第１傾斜方向を軸線方向とする）、と第１補助長線９６Ａ（第２傾斜方向を軸線方向とする）と、第１非接続部９２Ａにおいて、それぞれ２つの第１補助短線９４ＡがＬ字状に組み合わされた２つの第１Ｌ字状パターン９８Ａが互いに対向して配置されたパターンとを有する。
【００５６】
各第１補助短線９４Ａの軸線方向の長さは、小格子７４の内周に沿った１つの辺の４／５以下、好ましくは１／２以下の長さを有する。また、各第１補助短線９４Ａは、第１大格子６８Ａから所定距離だけ離間した位置に形成されている。所定距離は、小格子７４の内周に沿った１つの辺の長さから第１補助短線９４Ａの軸線方向の長さを差し引いた長さである。例えば第１補助短線９４Ａの軸線方向の長さが、小格子７４の内周に沿った１つの辺の４／５や１／２であれば、前記所定距離は、小格子７４の内周に沿った１つの辺の１／５や１／２となる。
【００５７】
図１２の例では、第１補助短線９４Ａの長さは、小格子７４の一辺の長さの１／２である。この場合、上述したように第１補助短線９４Ａの長さは、第１帯状空隙８２Ａの第１又は第２傾斜方向の幅に等しくなっている。また、第１補助長線９６Ａは、小格子７４の一辺の長さに対して、ｓ／２倍の長さを有する。上述の通り、図１２の例では、ｓが４であるから、第１補助長線９６Ａの長さは小格子７４の一辺の長さの２倍である。第１補助長線９６Ａは、向かい合う小格子７４の平行な一辺に対して、小格子７４において対向する二辺と等間隔で配されている。なお、図１２では、３本の第１補助短線９４Ａと１本の第１補助長線９６Ａとが交わることによって第１Ｚ字状パターン１００Ａを形成している。
【００５８】
第１大格子６８Ａの一辺の長さは、第１帯状空隙８２Ａに隣接する第２方向の頂角部から第１上底部７６Ａまでの距離、すなわち、同じく第１帯状空隙８２Ａに隣接し、第１補助パターン６６Ａを構成する頂角部側の第１補助短線９４Ａから第１上底部７６Ａ側の第１補助短線９４Ａまでの距離に該当する。その場合、第１大格子６８Ａの一辺の長さ、すなわち、第２方向の頂角部から第１上底部７６Ａまでの距離は、３〜１０ｍｍであることが好ましく、４〜６ｍｍであることがより好ましい。一辺の長さが、上記下限値未満であると、第１導電シート５２Ａを例えばタッチパネルに利用した場合に、検出時の第１大格子６８Ａの静電容量が減るため、検出不良になる可能性が高くなる。他方、上記上限値を超えると、位置検出精度が低下する虞がある。同様の観点から、第１大格子６８Ａを構成する小格子７４の一辺の長さは、上述したように、５０μｍ以上であることが好ましく、１００〜４００μｍであることがより好ましく、１５０〜３００μｍであることがさらに好ましく、最も好ましくは２１０〜２５０μｍ以下である。小格子７４が上記範囲である場合には、さらに透明性も良好に保つことが可能であり、表示装置３０の前面にとりつけた際に、違和感なく表示を視認することができる。
【００５９】
上述のように構成された第１導電シート５２Ａは、図１０に示すように、各第１透明導電パターン６４Ａの一方の端部側に存在する第１大格子６８Ａの開放端は、第１接続部８４Ａが存在しない形状となっている。各第１透明導電パターン６４Ａの他方の端部側に存在する第１大格子６８Ａの端部は、第１端子４０Ａを介して第１外部配線４２Ａに接続されている。
【００６０】
一方、第２導電シート５２Ｂは、図１０、図１１Ａ及び図１３に示すように、第２透明基体５４Ｂ（図１１Ａ参照）の一主面上に形成された第２導電部５６Ｂを有する。この第２導電部５６Ｂは、それぞれ第２方向（ｙ方向）に延在し、且つ、第１方向（ｘ方向）に配列され、多数の格子にて構成された金属細線５５による２以上の第２透明導電パターン６４Ｂと、各第２透明導電パターン６４Ｂの周辺に配列された金属細線５５による第２補助パターン６６Ｂとを有する。
【００６１】
各第２透明導電パターン６４Ｂは、２以上の第２大格子６８Ｂ（第２感知部）が第２方向（ｙ方向）に直列に接続されて構成され、各第２大格子６８Ｂは、それぞれ２以上の小格子７４が組み合わされて構成されている。また、第２大格子６８Ｂの辺の周囲に、第２大格子６８Ｂと非接続とされた上述の第２補助パターン６６Ｂが形成されている。
【００６２】
第２大格子６８Ｂは、略ひし形状であるが、より詳細には、第２方向の頂角の小格子７４が欠除したソロバン珠形状を有している。すなわち、第２方向の２つの頂角部には、それぞれ第１方向にｒ個（ｒは１より大きい整数）の小格子７４が並んだ第２上底部７６Ｂが形成され、第１方向の２つの頂角部には、１つの小格子７４が位置して、それ自体が頂角をなしている。図１３では、第２大格子６８Ｂの第２方向の２つの頂角部に、それぞれ第１方向に４個の小格子７４が並び、第２上底部７６Ｂを構成している。
【００６３】
第２大格子６８Ｂの各斜辺には、小格子７４を構成する辺が一部突出した突出辺部７８、段差８０が設けられている。また、各斜辺と第２補助パターン６６Ｂとの間には、第２大格子６８Ｂと第２補助パターン６６Ｂとを非接続とするための第２帯状空隙８２Ｂが設けられている。この第２帯状空隙８２Ｂは、第２大格子６８Ｂの第１方向の頂角部から第２上底部７６Ｂに向かって、第１傾斜方向又は第２傾斜方向に沿って配列した小格子７４を斜めに切り取るようにして直線的に配置される。この場合、第２帯状空隙８２Ｂは、第１傾斜方向又は第２傾斜方向に沿って配列したｓ個（ｓは１より大きい整数）の小格子７４からなる平行四辺形の対角線に沿って配置される。図１３の例では、第１傾斜方向又は第２傾斜方向に沿って配列した４個の小格子７４からなる平行四辺形の対角線に沿って第２帯状空隙８２Ｂが配置されている。その結果、段差８０と段差８０との間隔は小格子４個分であり、段差８０と段差８０の間にある３本の突出辺部７８の長さは、それぞれ小格子７４の一辺の長さの１／４、１／２、３／４となっている。このように、第２帯状空隙８２Ｂの配置によって、第２大格子６８Ｂの斜辺の角度が調整される。
【００６４】
第２帯状空隙８２Ｂの第１又は第２傾斜方向の幅は、小格子７４の一辺の長さよりも小さく、例えば小格子７４の一辺の長さの１／５以上、好ましくは１／２以上とすることができる。この場合、後述する第２補助パターン６６Ｂの第１又は第２傾斜方向の幅は、小格子７４の一辺の長さから、第２帯状空隙８２Ｂの第１又は第２傾斜方向の幅を差し引いた大きさとすることができる。例えば、第２帯状空隙８２Ｂの幅が、小格子７４の一辺の長さの１／５や１／２であれば、第１補助パターン６６Ｂの幅は、小格子７４の一辺の長さの４／５や１／２となる。
【００６５】
さらに、第２大格子６８Ｂの第２方向の２つの第２上底部７６Ｂと、第２傾斜方向の斜辺とが隣接する部分には、小格子７４の一辺が欠除した第２欠除部９０Ｂが設けられている。
【００６６】
図１３に示すように、第２方向に隣接する第２大格子６８Ｂ間には、これら第２大格子６８Ｂを接続する金属細線５５による第２接続部８４Ｂが形成されている。第２接続部８４Ｂは、ｎ個（ｎは１より大きい整数）の小格子７４が第１傾斜方向に配列された大きさの第２中格子８６Ｂと、小格子７４が第１傾斜方向にｐ個（ｐは１より大きい整数）、第２傾斜方向にｑ個（ｑは１より大きい整数）の小格子７４がｐ×ｑで配列された大きさの第２中格子８８Ｂによって構成されている。図１３の例では、第２中格子８６Ｂは、ｎが７であり、７個分の小格子７４が第１傾斜方向に配列された大きさを有し、第２中格子８８Ｂは、第１傾斜方向のｐが３、第２傾斜方向のｑが５であり、合計１５個分の小格子７４が配列された大きさを有する。
【００６７】
また、第２中格子８８Ｂと第２大格子６８Ｂとが隣接する部分には、上記した小格子７４の１つの辺が欠除した第２欠除部９０Ｂが位置している。
【００６８】
さらに、第１方向に隣接する第２透明導電パターン６４Ｂ間は、それぞれの第２大格子６８Ｂを互いに非接続とする第２非接続部９２Ｂが配されている。
【００６９】
第２導電部５６Ｂには、第２大格子６８Ｂの辺の周囲に、第２大格子６８Ｂと非接続とされた上述の第２補助パターン６６Ｂが形成されている。ここで、第２補助パターン６６Ｂは、第２大格子６８Ｂの斜辺のうち、第１傾斜方向に沿って配列された小格子７４を斜めに切り取った第２帯状空隙８２Ｂの長手方向に沿って配列された複数の第２補助短線９４Ｂ（第２傾斜方向を軸線方向とする）、第２補助長線９６Ｂ（第１傾斜方向を軸線方向とする）と、第２大格子６８Ｂの斜辺のうち、第２傾斜方向に沿って配列された小格子７４を斜めに切り取った第２帯状空隙８２Ｂの長手方向に沿って配列された複数の第２補助短線９４Ｂ（第１傾斜方向を軸線方向とする）、と第２補助長線９６Ｂ（第２傾斜方向を軸線方向とする）と、第２非接続部９２Ａにおいて、それぞれ２つの第２補助短線９４ＢがＬ字状に組み合わされた２つの第２Ｌ字状パターン９８Ｂが互いに対向して配置されたパターンとを有する。
【００７０】
各第２補助短線９４Ｂの軸線方向の長さは、上述した第１補助短線９４Ａと同様に、小格子７４の内周に沿った１つの辺の４／５以下、好ましくは１／２以下の長さを有する。また、各第２補助短線９４Ｂは、第２大格子６８Ｂから所定距離だけ離間した位置に形成されている。この所定距離についても、上述した第１補助短線９４Ａと同様に、小格子７４の内周に沿った１つの辺の長さから第２補助短線９４Ｂの軸線方向の長さを差し引いた長さである。例えば第２補助短線９４Ｂの軸線方向の長さが、小格子７４の内周に沿った１つの辺の４／５や１／２であれば、前記所定距離は、小格子７４の内周に沿った１つの辺の１／５や１／２となる。
【００７１】
図１３の例では、第２補助短線９４Ｂの長さは、小格子７４の一辺の長さの１／２である。この場合、上述したように第２補助短線９４Ｂの長さは、第２帯状空隙８２Ｂの第１又は第２傾斜方向の幅に等しくなっている。また、第２補助長線９６Ｂは、小格子７４の一辺の長さに対して、ｓ／２倍の長さを有する。上述の通り、図１３の例では、ｓが４であるから、第２補助長線９６Ｂの長さは小格子７４の一辺の長さの２倍である。第２補助長線９６Ｂは、向かい合う小格子７４の平行な一辺に対して、小格子７４において対向する二辺と等間隔で配されている。なお、図１３では、３本の第２補助短線９４Ｂと１本の第２補助長線９６Ｂとが交わることによって第２Ｚ字状パターン１００Ｂを形成している。なお、図１３の例では、第２Ｌ字状パターン９８Ｂは、第２Ｚ字状パターン１００Ｂと連結された形態を有している。
【００７２】
第２大格子６８Ｂの一辺の長さは、第２帯状空隙８２Ｂに隣接する第１方向の頂角部から第２上底部７６Ｂまでの距離、すなわち、同じく第２帯状空隙８２Ｂに隣接し、第２補助パターン６６Ｂを構成する頂角部側の第２補助短線９４Ｂから第２上底部７６Ｂ側の第２補助短線９４Ｂまでの距離に該当する。その場合、第２大格子６８Ｂの一辺の長さ、すなわち、第１方向の頂角部から第２上底部７６Ｂまでの距離は、３〜１０ｍｍであることが好ましく、４〜６ｍｍであることがより好ましい。一辺の長さが、上記下限値未満であると、第２導電シート５２Ｂを例えばタッチパネルに利用した場合に、検出時の第２大格子６８Ｂの静電容量が減るため、検出不良になる可能性が高くなる。他方、上記上限値を超えると、位置検出精度が低下する虞がある。同様の観点から、第２大格子６８Ｂを構成する小格子７４の一辺の長さは、上述したように、５０μｍ以上であることが好ましく、１００〜４００μｍであることがより好ましく、１５０〜３００μｍであることがさらに好ましく、最も好ましくは２１０〜２５０μｍ以下である。小格子７４が上記範囲である場合には、さらに透明性も良好に保つことが可能であり、表示装置３０の前面にとりつけた際に、違和感なく表示を視認することができる。
【００７３】
上述のように構成された第２導電シート５２Ｂは、図１０に示すように、第２透明導電パターン６４Ｂの一方の端部側に存在する第２大格子６８Ｂの開放端は、第２接続部８４Ｂが存在しない形状となっている。各第２透明導電パターン６４Ｂの他方の端部側に存在する第２大格子６８Ｂの端部は、第２端子４０Ｂを介して第２外部配線４２Ｂに接続されている。
【００７４】
また、第１透明導電パターン６４Ａ（第１大格子６８Ａ、接続部８４Ａ）の線幅、並びに第２透明導電パターン６４Ｂ（第２大格子６８Ｂ、接続部８４Ｂ）の線幅は、それぞれの線幅は、下限は１μｍ以上、３μｍ以上、４μｍ以上、もしくは５μｍ以上が好ましく、上限は３０μｍ以下、１５μｍ以下、１０μｍ以下、９μｍ以下、８μｍ以下が好ましい。線幅が上記下限値未満の場合には、導電性が不十分となるためタッチパネルに使用した場合に、検出感度が不十分となる。他方、上記上限値を越えると金属細線５５に起因するモアレが顕著になったり、タッチパネルに使用した際に視認性が悪くなったりする。なお、上記範囲にあることで、金属細線５５による導電パターンのモアレが改善され、視認性が特によくなる。また、少なくとも第１透明基体５４Ａの厚みは７５μｍ以上３５０μｍ以下が好ましく、さらに好ましくは８０μｍ以上２５０μｍであり、特に好ましくは１００μｍ以上２００μｍ以下となっている。
【００７５】
第１補助パターン６６Ａ（第１補助短線９４Ａ、第１補助長線９６Ａ）及び第２補助パターン６６Ｂ（第２補助短線９４Ｂ、第１補助長線９６Ａ）の線幅は、それぞれ下限は１μｍ以上、３μｍ以上、４μｍ以上、もしくは５μｍ以上が好ましく、上限は３０μｍ以下、１５μｍ以下、１０μｍ以下、９μｍ以下、８μｍ以下が好ましい。この場合、第１透明導電パターン６４Ａの線幅や第２透明導電パターン６４Ｂの線幅と同じでもよく、異なっていてもよい。ただ、第１透明導電パターン６４Ａ、第２透明導電パターン６４Ｂ、第１補助パターン６６Ａ及び第２補助パターン６６Ｂの各線幅を同じにすることが好ましい。
【００７６】
そして、例えば第２導電シート５２Ｂ上に第１導電シート５２Ａを積層してタッチパネル用導電シート５０としたとき、図１０に示すように、第１透明導電パターン６４Ａと第２透明導電パターン６４Ｂとが交差して配置された形態とされ、具体的には、第１透明導電パターン６４Ａの第１接続部８４Ａと第２透明導電パターン６４Ｂの第２接続部８４Ｂとが第１透明基体５４Ａ（図１１Ａ参照）を間に挟んで対向し、第１導電部５６Ａの第１非接続部９２Ａと第２導電部５６Ｂの第２非接続部９２Ｂとが第１透明基体５４Ａを間に挟んで対向した形態となる。
【００７７】
タッチパネル用導電シート５０を上面から見たとき、図１４に示すように、第１導電シート５２Ａに形成された第１大格子６８Ａの隙間を埋めるように、第２導電シート５２Ｂの第２大格子６８Ｂが配列された形態となる。
【００７８】
このとき、第１接続部８４Ａと第２接続部８４Ｂとが対向すること、すなわち、第１中格子８６Ａと第２中格子８６Ｂとが対向し、第１中格子８８Ａと第２中格子８８Ｂとが対向することにより、略長方形状の組合せパターン１０２が形成される。この組合せパターン１０２において、第１中格子８６Ａと第２中格子８６Ｂとは対角線上に配置される。図１２と図１３で示す第１接続部８４Ａと第２接続部８４Ｂとによって形成される組合せパターン１０２は、対角線上に小格子７４が７個、４辺に小格子７４が４個ずつ並んだ合計２５個の小格子７４から構成される。なお、組合せパターン１０２の頂角に位置する第１中格子８６Ａの小格子７４の１辺は、第２大格子６８Ｂおける第１欠除部９０Ａの欠除した１辺を補い、第２中格子８６Ｂの小格子７４の１辺は、第１大格子６８Ａおける第１欠除部９０Ａの欠除した１辺を補う。
【００７９】
さらに、第１大格子６８Ａと第２大格子６８Ｂとの間に、第１補助パターン６６Ａと第２補助パターン６６Ｂとが対向することによる組合せパターン１０４が形成される。より正確には、第１補助パターン６６Ａは、第２帯状空隙８２Ｂに対向し、と第２補助パターン６６Ｂは、第１帯状空隙８２Ａに対向する。組合せパターン１０４は、第１の実施の形態における図６に示した例と同様に、第１補助短線９４Ａの第１軸線と第２補助短線９４Ｂの第２軸線とが一致し、且つ、第１補助短線９４Ａと第２補助短線９４Ｂとが重ならず、且つ、第１補助短線９４Ａの一端と第２補助短線９４Ｂの一端とが一致し、これにより、小格子７４（メッシュ形状）の１つの辺を構成することとなる。また、このとき、突出辺部７８の先端と、第１補助短線９４Ａ、又は第２補助短線９４Ｂの他端とが、一致することによっても、小格子７４の１つの辺を構成する。
【００８０】
なお、この関係は、第１補助長線９６Ａと第２補助長線９６Ｂについても同様であり、第１補助長線９６Ａの第１軸線と第２補助長線９６Ｂの第２軸線とが一致し、且つ、第１補助長線９６Ａと第２補助長線９６Ｂとが重ならず、且つ、第１補助長線９６Ａの一端と第２補助長線９６Ｂの一端とが一致し、これにより、小格子７４の複数の辺を構成することとなる。
【００８１】
つまり、組合せパターン１０２と、１０４とは、２以上の小格子７４（メッシュ形状）が組み合わされた形態となる。その結果、タッチパネル用導電シート５０を上面から見たとき、図１４に示すように、多数の小格子７４（メッシュ形状）が敷き詰められた形態となる。なお、このように第１補助短線９４Ａと第２補助短線９４Ｂとによって小格子７４の１つ辺を構成する位置が、第２の実施の形態における基準位置となる。
【００８２】
本実施の形態に係るタッチパネル用導電シート５０では、第１大格子６８Ａ、第２大格子６８Ｂにおける各斜辺に配列された小格子７４を斜めに切り取る第１帯状空隙８２Ａ、第２帯状空隙８２Ｂを有し、それぞれの空隙を埋める第２補助パターン６６Ｂ、第１補助パターン６６Ａを有する構成により、より一層第１大格子６８Ａと第２大格子６８Ｂとの境界が目立たなくなり、視認性が向上する。また、第１帯状空隙８２Ａと第２帯状空隙８２Ｂを設けることにより、パターンの重なりによって生じる寄生容量の増加を効果的に防ぐことができる。
【００８３】
本実施の形態においても積層ずれが所定の範囲であれば、第１の実施の形態と同様に、視認性の低下をもたらすことがないことは勿論である。また、視認性の低下をきたさない積層ずれの形態や範囲は、上記した第１の実施の形態における図８Ａ〜図８Ｃの位置関係とほぼ同様である。すなわち、第１導電部５６Ａと第２導電部５６Ｂは、基準位置から少なくとも第１傾斜方向に第１補助短線９４Ａの線幅Ｗａ及び第２補助短線９４Ｂの線幅Ｗｂのうち、いずれか短い方の線幅の１／２以上１００μｍ以下（あるいは小格子７４の配列ピッチの１／２以下）だけずれて配置されても視認性の低下をきたさない。特に、第２の実施の形態では、第１傾斜方向及び第２傾斜方向にそれぞれ第１補助短線９４Ａの線幅Ｗａ及び第２補助短線９４Ｂの線幅Ｗｂのうち、いずれか短い方の線幅の１／２以上１００μｍ以下（あるいは小格子７４の配列ピッチの１／２以下）だけずれて配置されても視認性の低下をきたさない。
【００８４】
なお、第２の実施の形態における組合せパターン１０４のうち、第１非接続部９２Ａに配置される２つの第１Ｌ字状パターン９８Ａと、第２非接続部９２Ｂに配置される２つの第２Ｌ字状パターン９８Ｂとの位置関係は、第１の実施の形態における図９と同様である。この場合、視認性の低下をきたさない積層ずれの形態や範囲は、第１の実施の形態における図８Ａ〜図８Ｃの位置関係と同様である。
【００８５】
このタッチパネル用導電シート５０をタッチパネルとして使用する場合は、第１導電シート５２Ａ上に保護層を形成し、第１導電シート５２Ａの多数の第１透明導電パターン６４Ａから導出された第１外部配線４２Ａと、第２導電シート５２Ｂの多数の第２透明導電パターン６４Ｂから導出された第２外部配線４２Ｂとを、例えばスキャンをコントロールするＩＣ回路に接続する。
【００８６】
なお、上述の第１の実施の形態に係るタッチパネル用導電シート１０では、小格子２６の形状を正方形状とし、また、第２の実施の形態に係るタッチパネル用導電シート５０では、小格子７４の形状をひし形状としたが、その他、多角形状としてもよい。また、一辺の形状を直線状のほか、湾曲形状でもよいし、円弧状にしてもよい。円弧状とする場合は、例えば対向する２辺については、外方に凸の円弧状とし、他の対向する２辺については、内方に凸の円弧状としてもよい。また、各辺の形状を、外方に凸の円弧と内方に凸の円弧が連続した波線形状としてもよい。もちろん、各辺の形状を、サイン曲線にしてもよい。
【００８７】
また、上述した第１の実施の形態に係る第１導電シート１２Ａ及び第２導電シート１２Ｂにおいては、第１接続部２８Ａ及び第２接続部２８Ｂを構成する中格子３０の大きさを、３個分の小格子２６の大きさに設定し、また、第２の実施の形態に係る第１導電シート５２Ａ及び第２導電シート５２Ｂにおいては、第１接続部８４Ａ及び第２接続部８４Ｂを構成する中格子８６Ａ、８６Ｂ、８８Ａ、８８Ｂの大きさを、それぞれ７個、１５個の小格子７４の大きさに設定したが、中格子の大きさは、１．５個、２個分、２．５個分等の３個分以下、或いは２０個分等の１５個分以上等、種々の組合せに設定することができる。ただし、中格子３０、８６Ａ、８６Ｂ、８８Ａ、８８Ｂは、あまりに大きすぎると、第１大格子２４Ａ、６８Ａや第２大格子２４Ｂ、６８Ｂの配置が難しくなり、検出してはいけない交差部での静電容量変化が大きくなるため、最大で２０個分、より好ましくは、最大で１５個分の小格子２６、７４の大きさであることが好ましい。
【００８８】
さらに、小格子２６、７４のサイズ（１辺の長さや対角線の長さ等）や、第１大格子２４Ａ、６８Ａを構成する小格子２６、７４の個数、第２大格子２４Ｂ、６８Ａを構成する小格子２６、７４の個数も、適用されるタッチパネルのサイズや分解能（配線数）に応じて適宜設定することができる。
【００８９】
上述のタッチパネル用導電シート１０、５０では、図１、図２Ａ、図１０、図１１Ａに示すように、例えば、第１の実施の形態では、第１透明基体１４Ａの一主面に第１導電部１６Ａを形成し、第２透明基体１４Ｂの一主面に第２導電部１６Ｂを形成して、積層するようにしたが、その他、図２Ｂ、図１１Ｂに示すように、例えば、第１の実施の形態では、第１透明基体１４Ａの一主面に第１導電部１６Ａを形成し、第１透明基体１４Ａの他主面に第２導電部１６Ｂを形成するようにしてもよい。また、第１導電シート１２Ａ、５２Ａと第２導電シート１２Ｂ、５２Ｂとはその間に他の層が存在してもよく、第１透明導電パターン１８Ａ、６４Ａと第２透明導電パターン１８Ｂ、６４Ｂとが絶縁状態であれば、それらが対向して配置されてもよい。
【００９０】
次に、第１導電シート１２Ａ、５２Ａや第２導電シート１２Ｂ、５２Ｂを製造する方法について、第１の実施の形態を例に挙げて説明する。なお、第２の実施の形態においても、同様の方法を適用できることは勿論である。
【００９１】
第１導電シート１２Ａや第２導電シート１２Ｂを製造する場合は、例えば第１透明基体１４Ａ上及び第２透明基体１４Ｂ上に感光性ハロゲン化銀塩を含有する乳剤層を有する感光材料を露光し、現像処理を施すことによって、露光部及び未露光部にそれぞれ金属銀部及び光透過性部を形成して第１導電部１６Ａ及び第２導電部１６Ｂを形成するようにしてもよい。なお、さらに金属銀部に物理現像及び／又はめっき処理を施すことによって金属銀部に導電性金属を担持させるようにしてもよい。
【００９２】
あるいは、第１透明基体１４Ａ及び第２透明基体１４Ｂ上に形成された銅箔上のフォトレジスト膜を露光、現像処理してレジストパターンを形成し、レジストパターンから露出する銅箔をエッチングすることによって、第１導電部１６Ａ及び第２導電部１６Ｂを形成するようにしてもよい。
【００９３】
あるいは、第１透明基体１４Ａ及び第２透明基体１４Ｂ上に金属微粒子を含むペーストを印刷し、ペーストに金属めっきを行うことによって、第１導電部１６Ａ及び第２導電部１６Ｂを形成するようにしてもよい。
【００９４】
第１透明基体１４Ａ及び第２透明基体１４Ｂ上に、第１導電部１６Ａ及び第２導電部１６Ｂをスクリーン印刷版又はグラビア印刷版によって印刷形成するようにしてもよい。
【００９５】
次に、本実施の形態に係る第１導電シート１２Ａ及び第２導電シート１２Ｂにおいて、特に好ましい態様であるハロゲン化銀写真感光材料を用いる方法を中心にして述べる。
【００９６】
本実施の形態に係る第１導電シート１２Ａ及び第２導電シート１２Ｂの製造方法は、感光材料と現像処理の形態によって、次の３通りの形態が含まれる。
（１）  物理現像核を含まない感光性ハロゲン化銀黒白感光材料を化学現像又は熱現像して金属銀部を該感光材料上に形成させる態様。
（２）  物理現像核をハロゲン化銀乳剤層中に含む感光性ハロゲン化銀黒白感光材料を溶解物理現像して金属銀部を該感光材料上に形成させる態様。
（３）  物理現像核を含まない感光性ハロゲン化銀黒白感光材料と、物理現像核を含む非感光性層を有する受像シートを重ね合わせて拡散転写現像して金属銀部を非感光性受像シート上に形成させる態様。
【００９７】
上記（１）の態様は、一体型黒白現像タイプであり、感光材料上に光透過性導電膜が形成される。得られる現像銀は化学現像銀又は熱現像銀であり、高比表面のフィラメントである点で後続するめっき又は物理現像過程で活性が高い。
上記（２）の態様は、露光部では、物理現像核近縁のハロゲン化銀粒子が溶解されて現像核上に沈積することによって感光材料上に光透過性導電性膜等の透光性導電性膜が形成される。これも一体型黒白現像タイプである。現像作用が、物理現像核上への析出であるので高活性であるが、現像銀は比表面の小さい球形である。
上記（３）の態様は、未露光部においてハロゲン化銀粒子が溶解されて拡散して受像シート上の現像核上に沈積することによって受像シート上に光透過性導電性膜等の透光性導電性膜が形成される。いわゆるセパレートタイプであって、受像シートを感光材料から剥離して用いる態様である。
【００９８】
いずれの態様もネガ型現像処理及び反転現像処理のいずれの現像を選択することもできる（拡散転写方式の場合は、感光材料としてオートポジ型感光材料を用いることによってネガ型現像処理が可能となる）。
【００９９】
ここでいう化学現像、熱現像、溶解物理現像、拡散転写現像は、当業界で通常用いられている用語どおりの意味であり、写真化学の一般教科書、例えば菊地真一著「写真化学」（共立出版社、１９５５年刊行）、Ｃ．Ｅ．Ｋ．Ｍｅｅｓ編「Ｔｈｅ  Ｔｈｅｏｒｙ  ｏｆ  Ｐｈｏｔｏｇｒａｐｈｉｃ  Ｐｒｏｃｅｓｓｅｓ，  ４ｔｈ  ｅｄ．」（Ｍｃｍｉｌｌａｎ社、１９７７年刊行）に解説されている。本件は液処理に係る発明であるが、その他の現像方式として熱現像方式を適用する技術も参考にすることができる。例えば、特開２００４−１８４６９３号、同２００４−３３４０７７号、同２００５−０１０７５２号の各公報、特願２００４−２４４０８０号、同２００４−０８５６５５号の各明細書に記載された技術を適用することができる。
【０１００】
ここで、本実施の形態に係る第１導電シート１２Ａ及び第２導電シート１２Ｂの各層の構成について、以下に詳細に説明する。
［第１透明基体１４Ａ、第２透明基体１４Ｂ］
第１透明基体１４Ａ及び第２透明基体１４Ｂとしては、プラスチックフイルム、プラスチック板、ガラス板等を挙げることができる。
上記プラスチックフイルム及びプラスチック板の原料としては、例えば、ポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、ＥＶＡ等のポリオレフィン類；ビニル系樹脂；その他、ポリカーボネート（ＰＣ）、ポリアミド、ポリイミド、アクリル樹脂、トリアセチルセルロース（ＴＡＣ）等を用いることができる。
第１透明基体１４Ａ及び第２透明基体１４Ｂとしては、ＰＥＴ（融点：２５８℃）、ＰＥＮ（融点：２６９℃）、ＰＥ（融点：１３５℃）、ＰＰ（融点：１６３℃）、ポリスチレン（融点：２３０℃）、ポリ塩化ビニル（融点：１８０℃）、ポリ塩化ビニリデン（融点：２１２℃）やＴＡＣ（融点：２９０℃）等の融点が約２９０℃以下であるプラスチックフイルム、又はプラスチック板が好ましく、特に、光透過性や加工性等の観点から、ＰＥＴが好ましい。タッチパネル用導電シート１０に使用される第１導電シート１２Ａ及び第２導電シート１２Ｂのような透明導電シートは透明性が要求されるため、第１透明基体１４Ａ及び第２透明基体１４Ｂの透明度は高いことが好ましい。
【０１０１】
［銀塩乳剤層］
第１導電シート１２Ａの第１導電部１６Ａ（第１大格子２４Ａ、第１接続部２８Ａ、第１補助パターン２０Ａ等）及び第２導電シート１２Ｂの第２導電部１６Ｂ（第２大格子２４Ｂ、第２接続部２８Ｂ、第２補助パターン２０Ｂ等）となる銀塩乳剤層は、銀塩とバインダーの他、溶媒や染料等の添加剤を含有する。
本実施の形態に用いられる銀塩としては、ハロゲン化銀等の無機銀塩及び酢酸銀等の有機銀塩が挙げられる。本実施の形態においては、光センサーとしての特性に優れるハロゲン化銀を用いることが好ましい。
銀塩乳剤層の塗布銀量（銀塩の塗布量）は、銀に換算して１〜３０ｇ／ｍ2が好ましく、１〜２５ｇ／ｍ2がより好ましく、５〜２０ｇ／ｍ2がさらに好ましい。この塗布銀量を上記範囲とすることで、タッチパネル用導電シート１０とした場合に所望の表面抵抗を得ることができる。
本実施の形態に用いられるバインダーとしては、例えば、ゼラチン、ポリビニルアルコール（ＰＶＡ）、ポリビニルピロリドン（ＰＶＰ）、澱粉等の多糖類、セルロース及びその誘導体、ポリエチレンオキサイド、ポリビニルアミン、キトサン、ポリリジン、ポリアクリル酸、ポリアルギン酸、ポリヒアルロン酸、カルボキシセルロース等が挙げられる。これらは、官能基のイオン性によって中性、陰イオン性、陽イオン性の性質を有する。
本実施の形態の銀塩乳剤層中に含有されるバインダーの含有量は、特に限定されず、分散性と密着性を発揮し得る範囲で適宜決定することができる。銀塩乳剤層中のバインダーの含有量は、銀／バインダー体積比で１／４以上が好ましく、１／２以上がより好ましい。銀／バインダー体積比は、１００／１以下が好ましく、５０／１以下がより好ましい。また、銀／バインダー体積比は１／１〜４／１であることがさらに好ましい。１／１〜３／１であることが最も好ましい。銀塩乳剤層中の銀／バインダー体積比をこの範囲にすることで、塗布銀量を調整した場合でも抵抗値のばらつきを抑制し、均一な表面抵抗を有するタッチパネル用導電シートを得ることができる。なお、銀／バインダー体積比は、原料のハロゲン化銀量／バインダー量（重量比）を銀量／バインダー量（重量比）に変換し、さらに、銀量／バインダー量（重量比）を銀量／バインダー量（体積比）に変換することで求めることができる。
【０１０２】
＜溶媒＞
銀塩乳剤層の形成に用いられる溶媒は、特に限定されるものではないが、例えば、水、有機溶媒（例えば、メタノール等のアルコール類、アセトン等のケトン類、ホルムアミド等のアミド類、ジメチルスルホキシド等のスルホキシド類、酢酸エチル等のエステル類、エーテル類等）、イオン性液体、及びこれらの混合溶媒を挙げることができる。
本実施の形態の銀塩乳剤層に用いられる溶媒の含有量は、銀塩乳剤層に含まれる銀塩、バインダー等の合計の質量に対して３０〜９０質量％の範囲であり、５０〜８０質量％の範囲であることが好ましい。
【０１０３】
＜その他の添加剤＞
本実施の形態に用いられる各種添加剤に関しては、特に制限は無く、公知のものを好ましく用いることができる。
【０１０４】
［その他の層構成］
銀塩乳剤層の上に図示しない保護層を設けてもよい。本実施の形態において「保護層」とは、ゼラチンや高分子ポリマーといったバインダーからなる層を意味し、擦り傷防止や力学特性を改良する効果を発現するために感光性を有する銀塩乳剤層上に形成される。その厚みは０．５μｍ以下が好ましい。保護層の塗布方法及び形成方法は特に限定されず、公知の塗布方法及び形成方法を適宜選択することができる。また、銀塩乳剤層よりも下に、例えば下塗り層を設けることもできる。
【０１０５】
次に、第１導電シート１２Ａ及び第２導電シート１２Ｂの作製方法の各工程について説明する。
［露光］
本実施の形態では、第１導電部１６Ａ及び第２導電部１６Ｂを印刷方式によって施す場合を含むが、印刷方式以外は、第１導電部１６Ａ及び第２導電部１６Ｂを露光と現像等によって形成する。すなわち、第１透明基体１４Ａ及び第２透明基体１４Ｂ上に設けられた銀塩含有層を有する感光材料又はフォトリソグラフィ用フォトポリマーを塗工した感光材料への露光を行う。露光は、電磁波を用いて行うことができる。電磁波としては、例えば、可視光線、紫外線等の光、Ｘ線等の放射線等が挙げられる。さらに露光には波長分布を有する光源を利用してもよく、特定の波長の光源を用いてもよい。
露光方法に関しては、ガラスマスクを介した方法やレーザー描画によるパターン露光方式が好ましい。
【０１０６】
［現像処理］
本実施の形態では、乳剤層を露光した後、さらに現像処理が行われる。現像処理は、銀塩写真フイルムや印画紙、印刷製版用フイルム、フォトマスク用エマルジョンマスク等に用いられる通常の現像処理の技術を用いることができる。現像液については特に限定はしないが、ＰＱ現像液、ＭＱ現像液、ＭＡＡ現像液等を用いることもでき、市販品では、例えば、富士フイルム社処方のＣＮ−１６、ＣＲ−５６、ＣＰ４５Ｘ、ＦＤ−３、パピトール、ＫＯＤＡＫ社処方のＣ−４１、Ｅ−６、ＲＡ−４、Ｄ−１９、Ｄ−７２等の現像液、又はそのキットに含まれる現像液を用いることができる。また、リス現像液を用いることもできる。
本発明における現像処理は、未露光部分の銀塩を除去して安定化させる目的で行われる定着処理を含むことができる。本発明における定着処理は、銀塩写真フイルムや印画紙、印刷製版用フイルム、フォトマスク用エマルジョンマスク等に用いられる定着処理の技術を用いることができる。
上記定着工程における定着温度は、約２０℃〜約５０℃が好ましく、さらに好ましくは２５〜４５℃である。また、定着時間は５秒〜１分が好ましく、さらに好ましくは７秒〜５０秒である。定着液の補充量は、感光材料の処理量に対して６００ｍｌ／ｍ2以下が好ましく、５００ｍｌ／ｍ2以下がさらに好ましく、３００ｍｌ／ｍ2以下が特に好ましい。
現像、定着処理を施した感光材料は、水洗処理や安定化処理を施されるのが好ましい。上記水洗処理又は安定化処理においては、水洗水量は通常感光材料１ｍ2当り、２０リットル以下で行われ、３リットル以下の補充量（０も含む、すなわちため水水洗）で行うこともできる。
現像処理後の露光部に含まれる金属銀の質量は、露光前の露光部に含まれていた銀の質量に対して５０質量％以上の含有率であることが好ましく、８０質量％以上であることがさらに好ましい。露光部に含まれる銀の質量が露光前の露光部に含まれていた銀の質量に対して５０質量％以上であれば、高い導電性を得ることができるため好ましい。
本実施の形態における現像処理後の階調は、特に限定されるものではないが、４．０を超えることが好ましい。現像処理後の階調が４．０を超えると、光透過性部の透光性を高く保ったまま、導電性金属部の導電性を高めることができる。階調を４．０以上にする手段としては、例えば、前述のロジウムイオン、イリジウムイオンのドープが挙げられる。
以上の工程を経て導電シートは得られるが、得られた導電シートの表面抵抗は１００オーム／ｓｑ．以下が好ましく、０．１〜１００オーム／ｓｑ．の範囲にあることが好ましく、１〜５０オーム／ｓｑ．の範囲がさらに好ましく、１〜１０オーム／ｓｑ．の範囲にあることがより好ましい。このような範囲に表面抵抗を調整することで、面積が１０ｃｍ×１０ｃｍ以上の大型のタッチパネルでも位置検出を行うことができる。また、現像処理後の導電シートに対しては、さらにカレンダー処理を行ってもよく、カレンダー処理により所望の表面抵抗に調整することができる。
【０１０７】
［物理現像及びめっき処理］
本実施の形態では、前記露光及び現像処理により形成された金属銀部の導電性を向上させる目的で、前記金属銀部に導電性金属粒子を担持させるための物理現像及び／又はめっき処理を行ってもよい。本発明では物理現像又はめっき処理のいずれか一方のみで導電性金属粒子を金属銀部に担持させてもよく、物理現像とめっき処理とを組み合わせて導電性金属粒子を金属銀部に担持させてもよい。なお、金属銀部に物理現像及び／又はめっき処理を施したものを含めて「導電性金属部」と称する。
本実施の形態における「物理現像」とは、金属や金属化合物の核上に、銀イオン等の金属イオンを還元剤で還元して金属粒子を析出させることをいう。この物理現象は、インスタントＢ＆Ｗフイルム、インスタントスライドフイルムや、印刷版製造等に利用されており、本発明ではその技術を用いることができる。
また、物理現像は、露光後の現像処理と同時に行っても、現像処理後に別途行ってもよい。
本実施の形態において、めっき処理は、無電解めっき（化学還元めっきや置換めっき）、電解めっき、又は無電解めっきと電解めっきの両方を用いることができる。本実施の形態における無電解めっきは、公知の無電解めっき技術を用いることができ、例えば、プリント配線板等で用いられている無電解めっき技術を用いることができ、無電解めっきは無電解銅めっきであることが好ましい。
【０１０８】
［酸化処理］
本実施の形態では、現像処理後の金属銀部、並びに、物理現像及び／又はめっき処理によって形成された導電性金属部には、酸化処理を施すことが好ましい。酸化処理を行うことにより、例えば、光透過性部に金属が僅かに沈着していた場合に、該金属を除去し、光透過性部の透過性をほぼ１００％にすることができる。
【０１０９】
［導電性金属部］
本実施の形態の導電性金属部の線幅は、１μｍ以上３０μｍ以下がよいが、１μｍ以上１５μｍ以下が好ましい。さらに好ましくは５μｍ以上１０μｍ以下、最も好ましくは５μｍ以上９μｍ以下である。線幅が上記下限値未満の場合には、導電性が不十分となるためタッチパネルに使用した場合に、検出感度が不十分となる。他方、上記上限値を越えると導電性金属部に起因するモアレが顕著になったり、タッチパネルに使用した際に視認性が悪くなったりする。なお、上記範囲にあることで、導電性金属部のモアレが改善され、視認性が特によくなる。線間隔は３０μｍ以上５００μｍ以下であることが好ましく、さらに好ましくは５０μｍ以上４００μｍ以下、最も好ましくは１００μｍ以上３５０μｍ以下である。また、導電性金属部は、アース接続等の目的においては、線幅は３０μｍより広い部分を有していてもよい。
本実施の形態における導電性金属部は、可視光透過率の点から開口率（透過率）は８０％以上であることが好ましく、８３％以上であることがさらに好ましく、８５％以上であることが最も好ましい。開口率とは、第１導電部及び第２導電部の導電部分を除いた透光性部分が全体に占める割合であり、例えば、線幅１５μｍ、ピッチ３００μｍの正方形の格子状の開口率は、８５％である。
【０１１０】
［光透過性部］
本実施の形態における「光透過性部」とは、第１導電シート１２Ａ及び第２導電シート１２Ｂのうち導電性金属部以外の透光性を有する部分を意味する。光透過性部における透過率は、前述のとおり、第１透明基体１４Ａ及び第２透明基体１４Ｂの光吸収及び反射の寄与を除いた３８０〜７８０ｎｍの波長領域における透過率の最小値で示される透過率は好ましくは８０％以上、さらに好ましくは８３％以上であり、最も好ましくは８５％以上である。
【０１１１】
［第１導電シート１２Ａ及び第２導電シート１２Ｂ］
本実施の形態に係る第１導電シート１２Ａ及び第２導電シート１２Ｂにおける第１透明基体１４Ａ及び第２透明基体１４Ｂの厚さは、５〜３５０μｍであることが好ましく、３０〜１５０μｍであることがさらに好ましい。５〜３５０μｍの範囲であれば所望の可視光の透過率が得られ、且つ、取り扱いも容易である。
第１透明基体１４Ａ及び第２透明基体１４Ｂ上に設けられる金属銀部の厚さは、第１透明基体１４Ａ及び第２透明基体１４Ｂ上に塗布される銀塩含有層用塗料の塗布厚みに応じて適宜決定することができる。金属銀部の厚さは、０．００１ｍｍ〜０．２ｍｍから選択可能であるが、３０μｍ以下であることが好ましく、２０μｍ以下であることがより好ましく、０．０１〜９μｍであることがさらに好ましく、０．０５〜５μｍであることが最も好ましい。また、金属銀部はパターン状であることが好ましい。金属銀部は１層でもよく、２層以上の重層構成であってもよい。金属銀部がパターン状であり、且つ、２層以上の重層構成である場合、異なる波長に感光できるように、異なる感色性を付与することができる。これにより、露光波長を変えて露光すると、各層において異なるパターンを形成することができる。
導電性金属部の厚さは、タッチパネルの用途としては、薄いほど表示パネルの視野角が広がるため好ましく、視認性の向上の点でも薄膜化が要求される。このような観点から、導電性金属部に担持された導電性金属からなる層の厚さは、９μｍ未満であることが好ましく、０．１μｍ以上５μｍ未満であることがより好ましく、０．１μｍ以上３μｍ未満であることがさらに好ましい。
本実施の形態では、上述した銀塩含有層の塗布厚みをコントロールすることにより所望の厚さの金属銀部を形成し、さらに物理現像及び／又はめっき処理により導電性金属粒子からなる層の厚みを自在にコントロールできるため、５μｍ未満、好ましくは３μｍ未満の厚みを有する第１導電シート１２Ａ及び第２導電シート１２Ｂであっても容易に形成することができる。
なお、本実施の形態に係る第１導電シート１２Ａや第２導電シート１２Ｂの製造方法では、めっき等の工程は必ずしも行う必要はない。本実施の形態に係る第１導電シート１２Ａや第２導電シート１２Ｂの製造方法では銀塩乳剤層の塗布銀量、銀／バインダー体積比を調整することで所望の表面抵抗を得ることができるからである。なお、必要に応じてカレンダー処理等を行ってもよい。
【０１１２】
（現像処理後の硬膜処理）
銀塩乳剤層に対して現像処理を行った後に、硬膜剤に浸漬して硬膜処理を行うことが好ましい。硬膜剤としては、例えば、グルタルアルデヒド、アジポアルデヒド、２，３−ジヒドロキシ−１，４−ジオキサン等のジアルデヒド類及びほう酸等の特開平２−１４１２７９号公報に記載のものを挙げることができる。
【０１１３】
なお、本発明は、下記表１及び表２に記載の公開公報及び国際公開パンフレットの技術と適宜組合わせて使用することができる。「特開」、「号公報」、「号パンフレット」等の表記は省略する。
【０１１４】
【表１】
0005638459.tif 000002
【０１１５】
【表２】
0005638459.tif 000003
【０１１６】
上述の例では、第１透明導電パターン１８Ａを、２以上の第１大格子２４Ａを第１方向に直列に接続して構成し、第２透明導電パターン１８Ｂを、２以上の第２大格子２４Ｂを第２方向に直列に接続して構成した例を示したが、その他、第１透明導電パターン１８Ａを、ＩＴＯ（酸化インジウムスズ）膜による例えばひし形状の２以上の透明電極を第１方向に直列に接続して構成し、第２透明導電パターン１８Ｂを、ＩＴＯ膜による例えばひし形状の２以上の透明電極を第２方向に直列に接続して構成してもよい。
この場合も、ＩＴＯ膜による透明電極が隣接して配置されることによる多数の規則的な透明電極の配列と、透明電極間に形成される第１補助線３６Ａと第２補助線３６Ｂとのずれた配置による上述の透明電極の配列とは異なった配列が混在し、これにより、多数の空間周波数が合わさった形態となり、その結果、液晶表示装置の画素配列との干渉が抑制され、モアレの発生を効果的に低減させることができる。
また、導電シートには、反射防止層やハードコート層などの機能層を付与してもよい。
【実施例】
【０１１７】
以下に、本発明の実施例を挙げて本発明をさらに具体的に説明する。なお、以下の実施例に示される材料、使用量、割合、処理内容、処理手順等は、本発明の趣旨を逸脱しない限り適宜変更することができる。従って、本発明の範囲は以下に示す具体例により限定的に解釈されるべきものではない。
【０１１８】
［第１実施例］
この第１実施例では、実施例１〜８に係る導電シートについて、表面抵抗及び透過率を測定し、モアレ及び視認性を評価した。実施例１〜８の内訳並びに測定結果及び評価結果を表３に示す。
＜実施例１〜８＞
（ハロゲン化銀感光材料）
水媒体中のＡｇ１５０ｇに対してゼラチン１０．０ｇを含む、球相当径平均０．１μｍの沃臭塩化銀粒子（Ｉ＝０．２モル％、Ｂｒ＝４０モル％）を含有する乳剤を調製した。
また、この乳剤中にはＫ3Ｒｈ2Ｂｒ9及びＫ2ＩｒＣｌ6を濃度が１０-7（モル／モル銀）になるように添加し、臭化銀粒子にＲｈイオンとＩｒイオンをドープした。この乳剤にＮａ2ＰｄＣｌ4を添加し、さらに塩化金酸とチオ硫酸ナトリウムを用いて金硫黄増感を行った後、ゼラチン硬膜剤と共に、銀の塗布量が１０ｇ／ｍ2となるように第１透明基体１４Ａ及び第２透明基体１４Ｂ（ここでは、共にポリエチレンテレフタレート（ＰＥＴ））上に塗布した。この際、Ａｇ／ゼラチン体積比は２／１とした。
幅３０ｃｍのＰＥＴ支持体に２５ｃｍの幅で２０ｍ分塗布を行ない、塗布の中央部２４ｃｍを残すように両端を３ｃｍずつ切り落としてロール状のハロゲン化銀感光材料を得た。
【０１１９】
（露光）
露光のパターンは、タッチパネル用導電シート１０の第１導電シート１２Ａについては図１及び図３に示すパターンで、第２導電シート１２Ｂについては図１及び図４に示すパターンで、Ａ４サイズ（２１０ｍｍ×２９７ｍｍ）の第１透明基体１４Ａ及び第２透明基体１４Ｂに行った。露光は上記パターンのフォトマスクを介して高圧水銀ランプを光源とした平行光を用いて露光した。
【０１２０】
（現像処理）
・現像液１Ｌ処方
ハイドロキノン                        ２０  ｇ
亜硫酸ナトリウム                      ５０  ｇ
炭酸カリウム                          ４０  ｇ
エチレンジアミン・四酢酸                ２  ｇ
臭化カリウム                            ３  ｇ
ポリエチレングリコール２０００          １  ｇ
水酸化カリウム                          ４  ｇ
ｐＨ                            １０．３に調整
・定着液１Ｌ処方
チオ硫酸アンモニウム液（７５％）    ３００  ｍｌ
亜硫酸アンモニウム・１水塩            ２５  ｇ
１，３−ジアミノプロパン・四酢酸        ８  ｇ
酢酸                                    ５  ｇ
アンモニア水（２７％）                  １  ｇ
ｐＨ                              ６．２に調整
上記処理剤を用いて露光済み感材を、富士フイルム社製自動現像機  ＦＧ−７１０ＰＴＳを用いて処理条件：現像３５℃  ３０秒、定着３４℃  ２３秒、水洗  流水（５Ｌ／分）の２０秒処理で行った。
【０１２１】
（実施例１）
作製した第１導電シート１２Ａ及び第２導電シート１２Ｂの導電部（第１透明導電パターン１８Ａ、第２透明導電パターン１８Ｂ）の線幅は１μｍ、小格子２６の一辺の長さは５０μｍ、大格子（第１大格子２４Ａ及び第２大格子２４Ｂ）の一辺の長さは３ｍｍであった。
（実施例２）
導電部の線幅を５μｍ、小格子２６の一辺の長さを１００μｍとした点以外は、実施例１と同様にして、実施例２に係る第１導電シート及び第２導電シートを作製した。
（実施例３）
導電部の線幅を７μｍ、小格子２６の一辺の長さを１５０μｍ、大格子の一辺の長さを５ｍｍとした点以外は、実施例１と同様にして、実施例３に係る第１導電シート及び第２導電シートを作製した。
（実施例４）
導電部の線幅を８μｍ、小格子２６の一辺の長さを１５０μｍ、大格子の一辺の長さを５ｍｍとした点以外は、実施例１と同様にして、実施例４に係る第１導電シート及び第２導電シートを作製した。
（実施例５）
導電部の線幅を９μｍ、小格子２６の一辺の長さを１５０μｍ、大格子の一辺の長さを６ｍｍとした点以外は、実施例１と同様にして、実施例５に係る第１導電シート及び第２導電シートを作製した。
（実施例６）
導電部の線幅を１０μｍ、小格子２６の一辺の長さを３００μｍ、大格子の一辺の長さを６ｍｍとした点以外は、実施例１と同様にして、実施例６に係る第１導電シート及び第２導電シートを作製した。
（実施例７）
導電部の線幅を１５μｍ、小格子２６の一辺の長さを４００μｍ、大格子の一辺の長さを１０ｍｍとした点以外は、実施例１と同様にして、実施例７に係る第１導電シート及び第２導電シートを作製した。
（実施例８）
導電部の線幅を３０μｍ、小格子２６の一辺の長さを５００μｍ、大格子の一辺の長さを１０ｍｍとした点以外は、実施例１と同様にして、実施例８に係る第１導電シート及び第２導電シートを作製した。
【０１２２】
〔評価〕
（表面抵抗測定）
検出精度の良否を確認するために、第１導電シート１２Ａ及び第２導電シート１２Ｂの表面抵抗率をダイアインスツルメンツ社製ロレスターＧＰ（型番ＭＣＰ−Ｔ６１０）直列４探針プローブ（ＡＳＰ）にて任意の１０箇所測定した値の平均値である。
（透過率の測定）
透明性の良否を確認するために、第１導電シート１２Ａ及び第２導電シート１２Ｂを分光光度計を用いて透過率を測定した。
（モアレの評価）
実施例１〜８について、第２導電シート１２Ｂ上に第１導電シート１２Ａを積層してタッチパネル用導電シートを作製し、その後、液晶表示装置の表示画面にタッチパネル用導電シートを貼り付けてタッチパネルを構成した。その後、タッチパネルを回転盤に設置し、液晶表示装置を駆動して白色を表示させる。その状態で、回転盤をバイアス角−２０°〜＋２０°の間で回転し、モアレの目視観察・評価を行った。
モアレの評価は、液晶表示装置の表示画面から観察距離１．５ｍで行い、モアレが顕在化しなかった場合を○、モアレが問題のないレベルでほんの少し見られた場合を△、モアレが顕在化した場合を×とした。
（視認性の評価）
上述のモアレの評価に先立って、タッチパネルを回転盤に設置し、液晶表示装置を駆動して白色を表示させた際に、線太りや黒い斑点がないかどうか、また、タッチパネルの第１大格子２４Ａ及び第２大格子２４Ｂの境界が目立つかどうかを肉眼で確認した。
【０１２３】
【表３】
0005638459.tif 000004
【０１２４】
実施例１〜８のうち、実施例２〜８は、導電性、透過率、モアレ、視認性共に良好であった。実施例１は導電性の点で実施例２〜６よりも劣っているが、５０オーム／ｓｑ．であるため、検出感度上、問題はない。実施例７及び８はモアレの評価が実施例１〜６よりも劣っているが、モアレが問題のないレベルでほんの少し見られる程度であるため、表示装置の表示画像が見え難くなるということはない。
【０１２５】
［第２実施例］
実施例１１〜２５に係るタッチパネル用導電シートについて、視認性を評価した。実施例１１〜２５の内訳並びに評価結果を表４に示す。
（実施例１１）
上述した第１実施例に示す第２導電シート１２Ｂ上に第１導電シート１２Ａを積層して、実施例１１に係るタッチパネル用導電シートを作製した。この実施例１１では、後述する表４にも示すように、導電部（第１透明導電パターン１８Ａ、第２透明導電パターン１８Ｂ）の線幅が５μｍ、小格子２６の一辺の長さが５０μｍ、大格子（第１大格子２４Ａ及び第２大格子２４Ｂ）の一辺の長さが３ｍｍで（第１実施例の実施例２と同じ）、第１補助線３６Ａの軸線方向（第３方向）及び第２補助線３６Ｂの軸線方向（第４方向）へのずれ量（以下、ずれ量と記す）が２．５μｍである。
（実施例１２、１３）
実施例１２及び１３は、それぞれ導電部の線幅を８μｍ、小格子２６の一辺の長さを１５０μｍ、大格子の一辺の長さを５ｍｍとし、ずれ量を２５μｍ及び７５μｍとした点以外は、上述した実施例１１と同様にして、それぞれタッチパネル用導電シートを作製した。
（実施例１４〜１６）
実施例１４、１５及び１６は、それぞれ導電部の線幅を８μｍ、小格子２６の一辺の長さを２５０μｍ、大格子の一辺の長さを５ｍｍとし、ずれ量を２５μｍ、７５μｍ及び１２５μｍとした点以外は、上述した実施例１１と同様にして、それぞれタッチパネル用導電シートを作製した。
（実施例１７〜２０）
実施例１７、１８、１９及び２０は、それぞれ導電部の線幅を１０μｍ、小格子２６の一辺の長さを３００μｍ、大格子の一辺の長さを６ｍｍとし、ずれ量を２５μｍ、７５μｍ、１２５μｍ及び１５０μｍとした点以外は、上述した実施例１１と同様にして、それぞれタッチパネル用導電シートを作製した。
（実施例２１〜２５）
実施例２１、２２、２３、２４及び２５は、それぞれ導電部の線幅を１５μｍ、小格子２６の一辺の長さを５００μｍ、大格子の一辺の長さを１０ｍｍとし、ずれ量を２５μｍ、７５μｍ、１２５μｍ、１５０μｍ及び２５０μｍとした点以外は、上述した実施例１１と同様にして、それぞれタッチパネル用導電シートを作製した。  
【０１２６】
〔評価〕
（視認性の評価）
実施例１１〜２５について、液晶表示装置の表示画面にタッチパネル用導電シートを貼り付けてタッチパネルを構成した。その後、液晶表示装置を駆動して白色を表示させた際に、線太りや黒い斑点がないかどうかを肉眼で確認した。
【０１２７】
【表４】
0005638459.tif 000005
【０１２８】
表４からわかるように、実施例１１〜２５は全体的に視認性の評価が良好であった。つまり、ずれ量が最大で小格子２６の一辺の長さの１／２であることから、第１大格子２４Ａの直線部分と第２大格子２４Ｂの直線部分とが重なることがなく視認性の低下はなかった。
【０１２９】
［第３実施例］
この第３実施例では、実施例２６〜３３に係る導電シートについて、表面抵抗及び透過率を測定し、モアレ及び視認性を評価した。実施例２６〜３３の内訳並びに測定結果及び評価結果を表５に示す。
＜実施例２６〜３３＞
タッチパネル用導電シート５０の第１導電シート５２Ａについては図１０及び図１２に示すパターンで、第２導電シート５２Ｂについては図１０及び図１３に示すパターンで露光を行った点以外は、上記した第１実施例と同様にして導電シートを作製し、評価した。なお、モアレの評価は、バイアス角−４５°〜＋４５°の間で回転し、モアレの目視観察・評価を行った。
【０１３０】
（実施例２６）
作製した第１導電シート５２Ａ及び第２導電シート５２Ｂの導電部（第１導電パターン６８Ａ、第２導電パターン６８Ｂ）の線幅は１μｍ、小格子７４の一辺の長さは５０μｍ、大格子（第１大格子６８Ａ及び第２大格子６８Ｂ）の一辺の長さは３ｍｍであった。
（実施例２７）
導電部の線幅を５μｍとし、小格子７４の一辺の長さを１００μｍとした点以外は、実施例２６と同様にして、実施例２７に係る第１導電シート５２Ａ及び第２導電シート５２Ｂを作製した。
（実施例２８）
導電部の線幅を７μｍとし、小格子７４の一辺の長さを１５０μｍとした点以外は、実施例２６と同様にして、実施例２８に係る第１導電シート５２Ａ及び第２導電シート５２Ｂを作製した。
（実施例２９）
導電部の線幅を８μｍとし、小格子７４の一辺の長さを２１０μｍとした点以外は、実施例２６と同様にして、実施例２９に係る第１導電シート５２Ａ及び第２導電シート５２Ｂを作製した。
（実施例３０）
導電部の線幅を９μｍとし、小格子７４の一辺の長さを２５０μｍ、大格子の一辺の長さを６ｍｍとした点以外は、実施例２６と同様にして、実施例３０に係る第１導電シート５２Ａ及び第２導電シート５２Ｂを作製した。
（実施例３１）
導電部の線幅を１０μｍとし、小格子７４の一辺の長さを３００μｍ、大格子の一辺の長さを６ｍｍとした点以外は、実施例２６と同様にして、実施例３１に係る第１導電シート５２Ａ及び第２導電シート５２Ｂを作製した。
（実施例３２）
導電部の線幅を１５μｍとし、小格子７４の一辺の長さを４００μｍ、大格子の一辺の長さを１０ｍｍとした点以外は、実施例２６と同様にして、実施例３２に係る第１導電シート５２Ａ及び第２導電シート５２Ｂを作製した。
（実施例３３）
導電部の線幅を３０μｍとし、小格子７４の一辺の長さを５００μｍ、大格子の一辺の長さを１０ｍｍとした点以外は、実施例２６と同様にして、実施例３３に係る第１導電シート５２Ａ及び第２導電シート５２Ｂを作製した。
【０１３１】
【表５】
0005638459.tif 000006
【０１３２】
実施例２６〜３２は、導電性、透過率、モアレ、視認性共に良好であった。実施例３３はモアレの評価が実施例２６〜３２よりも劣っているが、モアレが問題のないレベルでほんの少し見られ、表示装置の表示画面が若干見え難い程度であった。
【０１３３】
［第４実施例］
実施例３４〜４８に係るタッチパネル用導電シートについて、視認性を評価した。実施例３４〜４８の内訳並びに評価結果を表６に示す。
（実施例３４）
上述した第３実施例に示す第２導電シート５２Ｂ上に第１導電シート５２Ａを積層して、実施例３４に係るタッチパネル用導電シートを作製した。この実施例３４では、後述する表６にも示すように、導電部（第１透明導電パターン６４Ａ、第２透明導電パターン６４Ｂ）の線幅が５μｍ、小格子７４の一辺の長さが５０μｍ、大格子（第１大格子６８Ａ及び第２大格子６８Ｂ）の一辺の長さを３ｍｍとし、第１補助短線９４Ａの軸線方向（第１傾斜方向）及び第２補助短線９４Ｂの軸線方向（第２傾斜方向）へのずれ量が２．５μｍである。
（実施例３５、３６）
実施例３５及び３６は、それぞれ導電部の線幅を８μｍ、小格子７４の一辺の長さを１５０μｍとし、大格子の一辺の長さを５ｍｍとし、ずれ量を２５μｍ及び７５μｍとした点以外は、上述した実施例３４と同様にして、それぞれタッチパネル用導電シートを作製した。
（実施例３７〜３９）
実施例３７、３８及び３９は、それぞれ導電部の線幅を８μｍ、小格子７４の一辺の長さを２５０μｍとし、大格子の一辺の長さを５ｍｍとし、ずれ量を２５μｍ、７５μｍ及び１２５μｍとした点以外は、上述した実施例３４と同様にして、それぞれタッチパネル用導電シートを作製した。
（実施例４０〜４３）
実施例４０、４１、４２及び４３は、それぞれ導電部の線幅を１０μｍ、小格子７４の一辺の長さを３００μｍとし、大格子の一辺の長さを６ｍｍとし、ずれ量を２５μｍ、７５μｍ、１２５μｍ及び１５０μｍとした点以外は、上述した実施例３４と同様にして、それぞれタッチパネル用導電シートを作製した。
（実施例４４〜４８）
実施例４４、４５、４６、４７及び４８は、それぞれ導電部の線幅を１５μｍ、小格子７４の一辺の長さを５００μｍとし、大格子の一辺の長さを１０ｍｍとし、ずれ量を２５μｍ、７５μｍ、１２５μｍ、１５０μｍ及び２５０μｍとした点以外は、上述した実施例１１と同様にして、それぞれタッチパネル用導電シートを作製した。
【０１３４】
【表６】
0005638459.tif 000007
【０１３５】
実施例３４〜４８は全体的に視認性の評価が良好であった。つまり、ずれ量が最大で小格子７４の一辺の長さの１／２であることから、第１大格子６８Ａの直線部分と第２大格子６８Ｂの直線部分とが重なることがなく視認性の低下はなかった。
【０１３６】
本発明に係るタッチパネル及び導電シートは、上述の実施の形態に限らず、本発明の要旨を逸脱することなく、種々の構成を採り得ることはもちろんである。
【符号の説明】
【０１３７】
１０…タッチパネル用導電シート          １２Ａ…第１導電シート
１２Ｂ…第２導電シート                  １４Ａ…第１透明基体
１４Ｂ…第２透明基体                    １６Ａ…第１導電部
１６Ｂ…第２導電部                      １８Ａ…第１透明導電パターン
１８Ｂ…第２透明導電パターン            ２０Ａ…第１補助パターン
２０Ｂ…第２補助パターン                ２４Ａ…第１大格子
２４Ｂ…第２大格子                      ２６…小格子
２８Ａ…第１接続部                      ２８Ｂ…第２接続部
３０…中格子                            ３２Ａ…第１欠除部
３２Ｂ…第２欠除部                      ３４Ａ…第１非接続部
３４Ｂ…第２非接続部                    ３６Ａ…第１補助線
３６Ｂ…第２補助線                      ４４…組合せパターン
４６Ａ…第１軸線                        ４６Ｂ…第２軸線
【図１】
0005638459.tif 000008
【図２】
0005638459.tif 000009
【図３】
0005638459.tif 000010
【図４】
0005638459.tif 000011
【図５】
0005638459.tif 000012
【図６】
0005638459.tif 000013
【図７】
0005638459.tif 000014
【図８】
0005638459.tif 000015
【図９】
0005638459.tif 000016
【図１０】
0005638459.tif 000017
【図１１】
0005638459.tif 000018
【図１２】
0005638459.tif 000019
【図１３】
0005638459.tif 000020
【図１４】
0005638459.tif 000021